(57)【要約】  インダクタモジュール（１）は、複数の絶縁体層が積層された積層体（１０）と、積層体（１０）に形成された直線状の主線路導体（１１）と、積層体（１０）に形成され、主線路導体（１１）と磁界結合する電流検出用導体（１２）と、積層体（１０）に形成され、インダクタ素子を構成するコイル導体（１３，１４）とを備える。主線路導体（１１）とインダクタ素子との結合係数の絶対値、及び電流検出用導体（１２）とインダクタ素子との結合係数の絶対値はそれぞれ、主線路導体（１１）と電流検出用導体（１２）との結合係数の絶対値よりも小さい。これにより、電流を検出する共に、インダクタ素子として用いることができるインダクタモジュール、及びそれを備えた電力伝送システムを提供する。
2016190097.tif 000002
【特許請求の範囲】
【請求項１】
主線路導体と磁界結合する電流検出用コイル導体と、
インダクタ素子用コイル導体と、
を備え、
前記主線路導体と前記インダクタ素子用コイル導体との結合係数の絶対値、及び前記電流検出用コイル導体と前記インダクタ素子用コイル導体との結合係数の絶対値はそれぞれ、前記主線路導体と前記電流検出用コイル導体との結合係数の絶対値よりも小さい、
インダクタモジュール。
【請求項２】
前記主線路導体は主要部分が直線状に伸びる形状であり、
前記電流検出用コイル導体は、前記主線路導体の主要部分が伸びる方向を軸方向としたときの周方向又は周方向に接する直線上に巻回軸を有する、
請求項１に記載のインダクタモジュール。
【請求項３】
前記インダクタ素子用コイル導体は、前記主線路導体の主要部分が伸びる方向を軸方向としたときの軸方向または径方向に巻回軸を有する、
請求項２に記載のインダクタモジュール。
【請求項４】
前記インダクタ素子用コイル導体は、第１コイル導体と第２コイル導体とが接続されてなり、
前記第１コイル導体と前記主線路導体との結合係数、及び、前記第２コイル導体と前記主線路導体との結合係数の一方は正、他方は負であり、
前記第１コイル導体と前記電流検出用コイル導体との結合係数、及び、前記第２コイル導体と前記電流検出用コイル導体との結合係数の一方は正、他方は負である、
請求項１から３のいずれかに記載のインダクタモジュール。
【請求項５】
前記電流検出用コイル導体は、第１検出用コイル導体と第２検出用コイル導体とが接続されてなり、
前記第１検出用コイル導体と前記主線路導体との結合係数、及び、前記第２検出用コイル導体と前記主線路導体との結合係数は両方が正又は負であり、
前記第１検出用コイル導体と前記インダクタ素子用コイル導体との結合係数、及び、前記第２検出用コイル導体と前記インダクタ素子用コイル導体との結合係数の一方は正、他方は負である、
請求項１から４のいずれかに記載のインダクタモジュール。
【請求項６】
前記電流検出用コイル導体、及び前記インダクタ素子用コイル導体は、
巻回軸を同方向にして設けられ、前記巻回軸からの平面視で、それぞれのコイル開口が重なっている、
請求項１から５のいずれかに記載のインダクタモジュール。
【請求項７】
前記インダクタ素子用コイル導体及び前記電流検出用コイル導体は絶縁体に形成された、
請求項１から６のいずれかに記載のインダクタモジュール。
【請求項８】
前記絶縁体の少なくとも一部は磁性体である、
請求項７に記載のインダクタモジュール。
【請求項９】
前記主線路導体を備え、
前記主線路導体は前記絶縁体に形成される、
請求項７又は８に記載のインダクタモジュール。
【請求項１０】
二つの前記インダクタ素子用コイル導体を備え、
前記二つのインダクタ素子用コイル導体は、互いに磁界結合する、
請求項１から９のいずれかに記載のインダクタモジュール。
【請求項１１】
送電装置が有する送電側結合部と、受電装置が有する受電側結合部とを、電界または磁界の少なくとも一方により結合させて、前記送電装置から前記受電装置へ電力を伝送する電力伝送システムにおいて、
前記送電装置は、
前記送電側結合部に接続される電力伝送ラインに流れる電流を検出する電流検出部、
を有し、
前記電流検出部は、
主線路導体と磁界結合する電流検出用コイル導体と、
インダクタ素子用コイル導体と、
を備え、
前記主線路導体と前記インダクタ素子用コイル導体との結合係数の絶対値、及び前記電流検出用コイル導体と前記インダクタ素子用コイル導体との結合係数の絶対値はそれぞれ、前記主線路導体と電流検出用コイル導体との結合係数の絶対値よりも小さく、
前記主線路導体は、前記電力伝送ラインの一部を構成している、
電力伝送システム。
【請求項１２】
前記送電装置は、
前記電力伝送ラインに接続される分圧回路を備え、
前記電流検出部は、
二つの前記インダクタ素子用コイル導体を有し、
前記二つのインダクタ素子用コイル導体は、互いに磁界結合し、
前記二つのインダクタ素子用コイル導体の一方は、前記分圧回路に接続されている、
請求項１１に記載の電力伝送システム。
【発明の詳細な説明】
【技術分野】
【０００１】
本発明は、電流検出素子とインダクタ素子とを備えたインダクタモジュール、及び電力伝送システムに関する。
【背景技術】
【０００２】
線路に流れる電流を検出する素子として、例えばカレントトランスが知られている。カレントトランスは通常、トロイダルコアに巻線したトランスで構成される。そのため、部品のサイズが大きくなり、小型、低背化が要求される装置には、カレントトランスを用いることは困難となる場合がある。そこで、小型、薄型トランスの例として、例えば、特許文献１に記載されている積層トランスがある。特許文献１に記載の積層トランスは、導体パターンを印刷した磁性体シートを積層し、トランスを構成した表面実装電子部品である。
【先行技術文献】
【特許文献】
【０００３】
【特許文献１】特開２００４−２５７９６４号公報
【発明の概要】
【発明が解決しようとする課題】
【０００４】
特許文献１に記載の積層トランスにより、トランスを備えた装置の小型化を実現することはできる。しかしながら、装置が小型化すると、装置内では素子同士の距離が短くなり、特許文献１に記載の積層トランスの近くに、磁界結合する素子、例えばインダクタ素子が配置された場合、トランスとインダクタ素子が磁界結合して誤作動を引き起こすおそれがある。【０００５】
前記問題を鑑み、本発明の目的は、電流を検出する共に、インダクタ素子として用いることができるインダクタモジュール、及びそれを備えた電力伝送システムを提供することにある。
【課題を解決するための手段】
【０００６】
本発明に係るインダクタモジュールは、主線路導体と磁界結合する電流検出用コイル導体と、インダクタ素子用コイル導体と、を備え、前記主線路導体と前記インダクタ素子用コイル導体との結合係数の絶対値、及び前記電流検出用コイル導体と前記インダクタ素子用コイル導体との結合係数の絶対値はそれぞれ、前記主線路導体と前記電流検出用コイル導体との結合係数の絶対値よりも小さいことを特徴とする。【０００７】
この構成では、主線路導体に電流が流れると、主線路導体から磁束が発生し、その磁束が電流検出用コイル導体と鎖交することで、電流検出用コイル導体に誘導起電力が生じ誘導電流が流れる。この誘導起電力又は誘導電流を検出することで、主線路導体に流れる電流を検出できる。また、主線路導体から磁束が発生しても、インダクタ素子用コイル導体と主線路導体との磁界結合は弱い。また、電流検出用コイル導体とインダクタ素子用コイル導体との磁界結合も弱い。このため、インダクタ素子用コイル導体を主線路導体及び電流検出用コイル導体から独立したインダクタ素子として用いることができる。【０００８】
本発明に係るインダクタモジュールでは、前記主線路導体は主要部分が直線状に伸びる形状であり、前記電流検出用コイル導体は、前記主線路導体の主要部分が伸びる方向を軸方向としたときの周方向又は周方向に接する直線上に巻回軸を有する構成でもよい。【０００９】
この構成では、電流検出用コイル導体と主線路導体とを強く結合できる。【００１０】
本発明に係るインダクタモジュールでは、前記インダクタ素子用コイル導体は、前記主線路導体の主要部分が伸びる方向を軸方向としたときの軸方向または径方向に巻回軸を有する構成でもよい。【００１１】
この構成では、インダクタ素子用コイル導体は主線路導体に結合しないようにできる。【００１２】
本発明に係るインダクタモジュールでは、前記インダクタ素子用コイル導体は、第１コイル導体と第２コイル導体とが接続されてなり、前記第１コイル導体と前記主線路導体との結合係数、及び、前記第２コイル導体と前記主線路導体との結合係数の一方は正、他方は負であり、前記第１コイル導体と前記電流検出用コイル導体との結合係数、及び、前記第２コイル導体と前記電流検出用コイル導体との結合係数の一方は正、他方は負である構成でもよい。【００１３】
この構成では、第１コイル導体及び第２コイル導体それぞれが、主線路導体及び電流検出用コイル導体と磁界結合しても、第１コイル導体及び第２コイル導体全体、すなわち、インダクタ素子用コイル導体は、主線路導体及び電流検出用コイル導体と磁界結合しない（又は結合が弱い）。このため、インダクタ素子用コイル導体を主線路導体及び電流検出用コイル導体に近接させて配置することができ、インダクタモジュールを小型化できる。また、第１コイル導体及び第２コイル導体の巻数、コイル開口形状等を調整することで、インダクタ素子用コイル導体のインダクタンスを調整することができる。【００１４】
本発明に係るインダクタモジュールでは、前記電流検出用コイル導体は、第１検出用コイル導体と第２検出用コイル導体とが接続されてなり、前記第１検出用コイル導体と前記主線路導体との結合係数、及び、前記第２検出用コイル導体と前記主線路導体との結合係数は両方が正又は負であり、前記第１検出用コイル導体と前記インダクタ素子用コイル導体との結合係数、及び、前記第２検出用コイル導体と前記インダクタ素子用コイル導体との結合係数の一方は正、他方は負である構成でもよい。【００１５】
この構成では、二つの第１検出用コイル導体と第２検出用コイル導体を用いることで、主線路導体と電流検出用コイル導体との結合を強くでき、電流検出感度を高くできる。また、二つの第１検出用コイル導体と第２検出用コイル導体を用いても、第１検出用コイル導体と第２検出用コイル導体と、インダクタ素子用コイル導体とは磁界結合しない（又は結合は弱い）。【００１６】
本発明に係るインダクタモジュールでは、前記電流検出用コイル導体、及び前記インダクタ素子用コイル導体は、巻回軸を同方向にして設けられ、前記巻回軸からの平面視で、それぞれのコイル開口が重なっている構成でもよい。【００１７】
この構成では、電流検出用コイル導体、及びインダクタ素子用コイル導体を重ねることで、インダクタモジュールの小型化を実現できる。【００１８】
本発明に係るインダクタモジュールでは、前記インダクタ素子用コイル導体及び前記電流検出用コイル導体は絶縁体に形成された構成でもよい。【００１９】
この構成では、インダクタ素子用コイル導体と電流検出用コイル導体との位置が固定されるため、導体間の位置ずれによる結合度の変動（コイル間の不要結合の変動）を抑えることができる。【００２０】
本発明に係るインダクタモジュールでは、前記絶縁体の少なくとも一部は磁性体であってもよい。【００２１】
この構成では、電流検出用導体のインダクタンスを高くすることができ、主線路導体の電流により生じる磁界、及び電流検出用導体周辺の磁界を層内に閉じ込めることができる。【００２２】
本発明に係るインダクタモジュールは、前記主線路導体を備え、前記主線路導体は前記絶縁体に形成されてもよい。【００２３】
この構成では、主線路導体とインダクタ素子用コイル導体及び電流検出用コイル導体との位置が固定されるため、導体間の位置ずれによる結合度の変動を抑えることができる。【００２４】
本発明に係るインダクタモジュールは、二つの前記インダクタ素子用コイル導体を備え、前記二つのインダクタ素子用コイル導体は、互いに磁界結合する構成でもよい。【００２５】
この構成では、二つのインダクタ素子用コイル導体の一方を１次コイル、他方を２次コイルとしたトランスとして用いることができる。【００２６】
本発明は、送電装置が有する送電側結合部と、受電装置が有する受電側結合部とを、電界または磁界の少なくとも一方により結合させて、前記送電装置から前記受電装置へ電力を伝送する電力伝送システムにおいて、前記送電装置は、前記送電側結合部に接続される電力伝送ラインに流れる電流を検出する電流検出部、を有し、前記電流検出部は、主線路導体と磁界結合する電流検出用コイル導体と、インダクタ素子用コイル導体と、を備え、前記主線路導体と前記インダクタ素子用コイル導体との結合係数の絶対値、及び前記電流検出用コイル導体と前記インダクタ素子用コイル導体との結合係数の絶対値はそれぞれ、前記主線路導体と電流検出用コイル導体との結合係数の絶対値よりも小さく、前記主線路導体は、前記電力伝送ラインの一部を構成していることを特徴とする。【００２７】
この構成では、送電装置において、送電側結合部に流れる電流を感度よく検出できる。検出した電流の大きさ、又は位相の変化により、受電装置の載置の有無の判定又は異常等の状態検知を行うことができる。【００２８】
本発明に係る電力伝送システムでは、前記送電装置は、前記電力伝送ラインに接続される分圧回路を備え、前記電流検出部は、二つの前記インダクタ素子用コイル導体を有し、前記二つのインダクタ素子用コイル導体は、互いに磁界結合し、前記二つのインダクタ素子用コイル導体の一方は、前記分圧回路に接続されている構成でもよい。【００２９】
この構成では、二つのインダクタ素子用コイル導体をトランスとして用いることで、分圧回路の電圧を検出できる。これにより、送電側結合部に印加される電圧を検出できる。
【発明の効果】
【００３０】
本発明によれば、主線路導体に流れる電流を検出でき、かつ、インダクタ素子として用いることができるインダクタモジュールを実現できる。
【図面の簡単な説明】
【００３１】
【図１】図１（Ａ）は、実施形態１に係るインダクタモジュールの平面図、図１（Ｂ）は、図１（Ａ）のＡ−Ａ線における断面図、図１（Ｃ）は、図１（Ａ）のＢ−Ｂ線における断面図である。
【図２】図２は、主線路導体に流れる電流及びその電流により生じる磁界（又は磁束）の向きを説明するための図である。
【図３】図３は、電流検出用導体に流れる電流及びその電流により生じる磁界（又は磁束）の向きを説明するための図である。
【図４】図４は、コイル導体から構成されるインダクタ素子に流れる電流及びその電流により生じる磁界（又は磁束）の向きを説明するための図である。
【図５】図５は、コイル導体の接続構造と流れる電流の向きを説明するための図である。
【図６】図６は、コイル導体の接続構造と流れる電流の向きを説明するための図である。
【図７】図７は、コイル導体の接続構造と流れる電流の向きを説明するための図である。
【図８】図８（Ａ）、図８（Ｂ）、図８（Ｃ）及び図８（Ｄ）は、二つのインダクタの結合係数を説明するための図である。
【図９】図９は、主線路導体、電流検出用導体及びコイル導体の等価回路を示す図である。
【図１０】図１０は、複数の相互インダクタンスを考慮して結合係数を算出する場合について説明するための図である。
【図１１】図１１（Ａ）は、別の例のインダクタモジュールの平面図、図１１（Ｂ）は、図１１（Ａ）のＡ−Ａ線における断面図、図１１（Ｃ）は、図１１（Ａ）のＢ−Ｂ線における断面図である。
【図１２】図１２（Ａ）は、別の例のインダクタモジュールの平面図、図１２（Ｂ）は、図１２（Ａ）のＡ−Ａ線における断面図である。
【図１３】図１３（Ａ）は、別の例のインダクタモジュールの平面図、図１３（Ｂ）は、図１３（Ａ）のＡ−Ａ線における断面図、図１３（Ｃ）は、図１３（Ａ）のＢ−Ｂ線における断面図である。
【図１４】図１４（Ａ）は、別の例のインダクタモジュールの平面図、図１４（Ｂ）は、図１４（Ａ）のＡ−Ａ線における断面図、図１４（Ｃ）は、図１４（Ａ）のＢ−Ｂ線における断面図である。
【図１５】図１５（Ａ）は、別の例のインダクタモジュールの平面図、図１５（Ｂ）は、図１５（Ａ）のＡ−Ａ線における断面図、図１５（Ｃ）は、図１５（Ａ）のＢ−Ｂ線における断面図である。
【図１６】図１６は、別の例のインダクタモジュールの平面図である。
【図１７】図１７（Ａ）は、別の例のインダクタモジュールの平面図、図１７（Ｂ）は、図１７（Ａ）のＡ−Ａ線における断面図、図１７（Ｃ）は、図１７（Ａ）のＢ−Ｂ線における断面図である。
【図１８】図１８（Ａ）は、別の例のインダクタモジュールの平面図、図１７（Ｂ）は、図１８（Ａ）のＡ−Ａ線における断面図、図１８（Ｃ）は、図１８（Ａ）のＢ−Ｂ線における断面図である。
【図１９】図１９は、三つのコイル導体を備えたインダクタモジュールを示す図である。
【図２０】図２０（Ａ）は、実施形態２に係るインダクタモジュールの平面図、図２０（Ｂ）は、図２０（Ａ）のＡ−Ａ線における断面図である。
【図２１】図２１は、主線路導体とコイル導体とが磁界結合しない（又は磁界結合が弱い）理由を説明するための図である。
【図２２】図２２（Ａ）は、別の例のインダクタモジュールの平面図、図２２（Ｂ）は、図２２（Ａ）のＡ−Ａ線における断面図、図２２（Ｃ）は、図２２（Ａ）のＢ−Ｂ線における断面図である。
【図２３】図２３（Ａ）は、別の例のインダクタモジュールの平面図、図２３（Ｂ）は、図２３（Ａ）のＡ−Ａ線における断面図、図２３（Ｃ）は、図２３（Ａ）のＢ−Ｂ線における断面図である。
【図２４】図２４（Ａ）は、別の例のインダクタモジュールの平面図、図２４（Ｂ）は、図２４（Ａ）のＡ−Ａ線における断面図である。
【図２５】図２５は、電流検出用導体とコイル導体とが磁界結合しない（又は結合が弱い）理由を説明するための図である。
【図２６】図２６（Ａ）は、別の例のインダクタモジュールの平面図、図２６（Ｂ）は、図２６（Ａ）のＡ−Ａ線における断面図である。
【図２７】図２７（Ａ）は、別の例のインダクタモジュールの平面図、図２７（Ｂ）は、図２７（Ａ）のＡ−Ａ線における断面図である。
【図２８】図２８（Ａ）は、別の例のインダクタモジュールの平面図、図２８（Ｂ）は、図２８（Ａ）のＡ−Ａ線における断面図である。
【図２９】図２９（Ａ）は、実施形態３に係るインダクタモジュールの平面図、図２９（Ｂ）は、図２９（Ａ）のＡ−Ａ線における断面図である。
【図３０】図３０（Ａ）は、別の例のインダクタモジュールの平面図、図３０（Ｂ）は、図３０（Ａ）のＡ−Ａ線における断面図、図３０（Ｃ）は、図３０（Ａ）のＢ−Ｂ線における断面図である。
【図３１】図３１（Ａ）は、別の例のインダクタモジュールの平面図、図３１（Ｂ）は、図３１（Ａ）のＡ−Ａ線における断面図、図３１（Ｃ）は、図３１（Ａ）のＢ−Ｂ線における断面図である。
【図３２】図３２（Ａ）は、実施形態４に係るインダクタモジュールの平面図、図３２（Ｂ）は、図３２（Ａ）のＡ−Ａ線における断面図である。
【図３３】図３３は、電流検出用導体及びコイル導体にそれぞれ流れる電流の方向を示す図である。
【図３４】図３４（Ａ）は、別の例のインダクタモジュールの平面図、図３４（Ｂ）は、図３４（Ａ）のＡ−Ａ線における断面図である。
【図３５】図３５は、電流検出用導体及びコイル導体とにそれぞれ流れる電流の方向を示す図である。
【図３６】図３６（Ａ）は、実施形態５に係るインダクタモジュールの平面図、図３６（Ｂ）は、図３６（Ａ）のＡ−Ａ線における断面図である。
【図３７】図３７は、実施形態６に係る電力伝送システムの回路図である。
【図３８】図３８は、検出回路の回路図である。
【発明を実施するための形態】
【００３２】
（実施形態１）
図１（Ａ）は、実施形態１に係るインダクタモジュール１の平面図、図１（Ｂ）は、図１（Ａ）のＡ−Ａ線における断面図、図１（Ｃ）は、図１（Ａ）のＢ−Ｂ線における断面図である。なお、図１（Ａ）に示す平面図は透視図である。
【００３３】
インダクタモジュール１は、積層体１０、主線路導体１１、電流検出用導体１２及びコイル導体１３，１４を備えている。電流検出用導体１２は、本発明に係る「電流検出用コイル導体」の一例である。コイル導体１３，１４は、本発明に係る「インダクタ素子用コイル導体」の一例である。また、コイル導体１３は、本発明に係る「第１コイル導体」の一例であり、コイル導体１４は、本発明に係る「第２コイル導体」の一例である。
【００３４】
積層体１０は、複数のフェライトシートが積層され、複数のフェライトシートが一体として焼結されて形成されている。積層体１０の一方主面（Ｚ方向での負側の積層体１０表面。以下、下面と言う）には、マザー基板に実装するための複数の実装電極（不図示）が形成されている。インダクタモジュール１は、下面をマザー基板側にして実装される。図１（Ａ）は、積層体１０の積層方向において、積層体１０の下面とは反対側である他方主面（Ｚ方向での正側の積層体１０表面。以下、上面と言う）を視た平面図である。なお、積層体１０の上面には、インダクタモジュール１に実装するＩＣ（集積回路）やコンデンサ等の実装部品を実装するための複数の実装電極（不図示）が形成されていてもよい。
【００３５】
主線路導体１１は、主要部分が一方向（Ｙ方向）に長い直線状であって、積層体１０の一のフェライトシートに形成されている。主線路導体１１の長手方向（Ｙ方向）の両端は、層間接続導体を介して積層体１０の下面の実装電極に接続され、主線路導体１１の長手方向（Ｙ方向）に電流が流れる。
【００３６】
電流検出用導体１２はコイル状であって、巻回軸を積層体１０の積層方向にして形成されている。詳しくは、積層体１０の異なる層のフェライトシートには、開ループ状の導体パターン１２１，１２２，１２３，１２４，１２５が印刷されている。導体パターン１２１〜１２５は不図示の層間接続導体により接続されている。これにより、電流検出用導体１２が形成される。電流検出用導体１２は、電流検出用導体１２のコイル開口を平面視したとき、主線路導体１１と間隙をおいて隣接配置されている。よって、電流検出用導体１２は、円柱座標系において主線路導体１１を軸とし、主線路導体１１の電流が流れる方向（Ｙ方向）を軸方向としたときの周方向（φ方向）又は周方向と接する直線（Ｚ方向）上に電流検出用導体１２の巻回軸を有する。なお、電流検出用導体１２の両端はそれぞれ、層間接続導体（不図示）により、積層体１０の下面に形成された異なる実装電極に接続されている。
【００３７】
この電流検出用導体１２は、主線路導体１１に流れる電流を検出するためのものである。主線路導体１１に電流が流れると、主線路導体１１の周囲に向きが周方向（φ方向）である磁束が発生し、その磁束が電流検出用導体１２のコイル開口と鎖交する。これにより、電流検出用導体１２には誘導起電力が発生し、誘導起電力に応じて誘導電流が流れる。この誘導電流（又は誘導起電力）を検出することで、主線路導体１１に流れる電流を検出できる。
【００３８】
コイル導体１３，１４は、巻回軸の方向を電流検出用導体１２の巻回軸の方向と同じにして積層体１０に形成されている。また、コイル導体１３，１４は、電流検出用導体１２のコイル開口を平面視したとき、電流検出用導体１２のコイル開口内であって、主線路導体１１に電流が流れる方向（Ｙ方向）に沿って配列するよう形成されている。よって、コイル導体１３,１４は、円柱座標系において主線路導体１１を軸とし、主線路導体１１の電流が流れる方向（Ｙ方向）を軸方向としたときの周方向（φ方向）又は周方向と接する直線（Ｚ方向）上にコイル導体１３,１４の巻回軸を有する。なお、他の実施形態でも同様に、円筒座標系は、主線路導体の主要部分を軸として、軸方向（主線路導体の主要部分に流れる電流の方向）、周方向（φ方向）、径方向（ｒ方向）と定義する。
【００３９】
コイル導体１３は、積層体１０の異なる層のフェライトシートに印刷された開ループ状の導体パターン１３１，１３２，１３３，１３４，１３５が、層間接続導体により接続されることで形成されている。同様に、コイル導体１４は、開ループ状の導体パターン１４１，１４２，１４３，１４４，１４５が、層間接続導体により接続されることで形成されている。そして、コイル導体１３，１４の上側（Ｚ方向での正側）の一端同士（導体パターン１３１，１４１の一端同士）が接続され、一つのインダクタ素子を構成している。
【００４０】
コイル導体１３，１４から構成されるインダクタ素子は、主線路導体１１及び電流検出用導体１２と独立している。ここで、「独立」とは、インダクタ素子は、主線路導体１１及び電流検出用導体１２と磁界結合しない、又は磁界結合が弱いことを言う。したがって、インダクタモジュール１は、前記した、主線路導体１１に流れる電流を検出する電流検出素子と、インダクタ素子との両方の機能を備える。
【００４１】
主線路導体１１に電流が流れると、主線路導体１１の周囲に向きが周方向（φ方向）である磁束が発生する。この磁束が、電流検出用導体１２、コイル導体１３及びコイル導体１４それぞれのコイル開口と鎖交する。そして、主線路導体１１は、電流検出用導体１２、コイル導体１３及びコイル導体１４それぞれと磁界結合する。この結合に関して、インダクタモジュール１は、コイル導体１３と主線路導体１１とが正結合（２つの導体にそれぞれ電流を印加したときに発生する磁束が強め合う場合の結合）し、コイル導体１４と主線路導体１１とが負結合（２つの導体にそれぞれ電流を印加したときに発生する磁束が弱め合う場合の結合）するよう形成されている。また、コイル導体１３と電流検出用導体１２とが負結合し、コイル導体１４と電流検出用導体１２とが正結合するよう形成されている。
【００４２】
以下、インダクタモジュール１における導体間の磁界結合について説明する。
【００４３】
図２は、主線路導体１１に流れる電流及びその電流により生じる磁界（又は磁束）の向きを説明するための図、図３は、電流検出用導体１２に流れる電流及びその電流により生じる磁界（又は磁束）の向きを説明するための図、図４は、コイル導体１３，１４から構成されるインダクタ素子に流れる電流及びその電流により生じる磁界（又は磁束）の向きを説明するための図である。
【００４４】
主線路導体１１に流れる電流が、図２に示す矢印方向（Ｙ方向の正の方向）である場合、電流検出用導体１２のコイル開口には、電流検出用導体１２のコイル開口の下側から上側（Ｚ方向の正の方向）に向かう磁束が鎖交する。これにより、電流検出用導体１２に誘導起電力が生じ、電流検出用導体１２には、誘導起電力に応じて誘導電流が流れる。この誘導電流（又は誘導起電力）を検出することで、主線路導体１１に流れる電流を検出できる。
【００４５】
主線路導体１１に電流が流れることで主線路導体１１の周囲に発生し、向きが周方向（φ方向）である磁束は、コイル導体１３，１４のコイル開口にも鎖交する。そして、コイル導体１３，１４それぞれは、主線路導体１１と磁界結合する。コイル導体１３と主線路導体１１とは正結合し、コイル導体１４と主線路導体１１とは負結合する。
【００４６】
図５、図６及び図７は、コイル導体１３，１４の接続構造と流れる電流の向きを説明するための図である。
【００４７】
コイル導体１３，１４は、コイル導体１３，１４のコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、コイル導体１３，１４が形成及び接続されている。例えば、図５に示すように、コイル導体１３，１４の巻回方向が、コイル導体１３，１４のコイル開口の平面視で同方向である場合、それぞれコイル導体１３，１４の上側一端を接続すればよい。または、それぞれコイル導体１３，１４の下側一端を接続してもよい。また、図６に示すように、コイル導体１３，１４の巻回方向が、コイル導体１３，１４のコイル開口の平面視で反対方向である場合、コイル導体１３の上側の一端と、コイル導体１４の下側の一端とを接続すればよい。または、コイル導体１３の下側の一端と、コイル導体１４の上側の一端とを接続してもよい。
【００４８】
図７に示すように、同層のフェライトシートに印刷された導体パターン１３１，１４１、導体パターン１３２，１４２、導体パターン１３３，１４３それぞれが一つながりに形成されている場合であっても、導体パターン１３１，１３２，１３３，１４１，１４２，１４３の開口の平面視で、導体パターン１３１，１３２，１３３と導体パターン１４１，１４２，１４３とが、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、各層の導体パターンを接続すればよい。
【００４９】
コイル導体１３，１４から構成されるインダクタ素子に流れる電流が、図４に示す矢印方向である場合、コイル導体１３のコイル開口には、コイル導体１３のコイル開口の下側から上側（Ｚ方向の正の方向）に向かう磁束が鎖交し、コイル導体１４のコイル開口には、コイル導体１４のコイル開口の上側から下側（Ｚ方向の負の方向）に向かう磁束が鎖交する。ここで、コイル導体１３，１４は電流検出用導体１２のコイル開口内に配置されているから、電流検出用導体１２のコイル開口には、電流検出用導体１２のコイル開口の下側から上側（Ｚ方向の正の方向）に向かう磁束と、上側から下側（Ｚ方向の負の方向）に向かう磁束とが鎖交するため、電流検出用導体１２に生じる誘導電流（又は誘導起電力）が相殺する。言い換えると、電流検出用導体１２とコイル導体１３とは負結合し、電流検出用導体１２とコイル導体１４とは正結合するため、電流検出用導体１２とコイル導体１３，１４から構成されるインダクタ素子とは磁界結合しない（又は磁界結合が弱い）。
【００５０】
同様に、主線路導体１１に関しても、コイル導体１３に流れる電流により生じる磁束が主線路導体１１に鎖交する向き（φ方向の正の方向）とコイル導体１４に流れる電流により生じる磁束が主線路導体１１に鎖交する向き（φ方向の負の方向）とは逆向きであるため、主線路導体１１に生じる誘導電流が相殺する。言い換えると、主線路導体１１とコイル導体１３は正結合し、主線路導体１１とコイル導体１４は負結合するため、主線路導体１１とコイル導体１３，１４から構成されるインダクタ素子とは磁界結合しない（又は磁界結合が弱い）。
【００５１】
以下に、正結合及び負結合について説明する。
【００５２】
正結合する場合、結合係数は正であり、負結合する場合、結合係数は負である。
【００５３】
図８（Ａ）、図８（Ｂ）、図８（Ｃ）及び図８（Ｄ）は、二つのインダクタＬ１，Ｌ２の結合係数ｋを説明するための図である。二つのインダクタＬ１，Ｌ２の相互インダクタンスをＭで表すと、結合係数ｋは、ｋ＝Ｍ／√（Ｌ１×Ｌ２）で表すことができる。
【００５４】
図８（Ａ）及び図８（Ｄ）に示すように、インダクタＬ１，Ｌ２に印加する電流Ｉ１，Ｉ２が流れ込む側と、印加した電流Ｉ１，Ｉ２により生じる誘導起電力の高電位側とが同じ側である場合、相互インダクタンスＭは正（Ｍ＞０）である。この場合、結合係数も正（ｋ＞０）である。また、図８（Ｂ）及び図８（Ｃ）に示すように、インダクタＬ１，Ｌ２に印加する電流Ｉ１，Ｉ２が流れ込む側と、印加した電流Ｉ１，Ｉ２により生じる誘導起電力の低電位側とが同じ側である場合、相互インダクタンスＭは負（Ｍ＜０）である。この場合、結合係数も負（ｋ＜０）である。
【００５５】
図９は、主線路導体１１、電流検出用導体１２及びコイル導体１３，１４の等価回路を示す図である。インダクタＬ１１は主線路導体１１のインダクタンス成分である。インダクタＬ１２は電流検出用導体１２のインダクタンス成分である。インダクタＬ１３，Ｌ１４はコイル導体１３，１４のインダクタンス成分である。なお、ここでは等価回路において各線路に印加する電流の方向を、図９に示す矢印の方向で定義する。また、等価回路において各インダクタ間の結合の方向に関しても、図９に示すドット記号の位置で定義する。
【００５６】
インダクタＬ１１（主線路導体１１）とインダクタＬ１３（コイル導体１３）との相互インダクタンスをＭ１１で表す。インダクタＬ１１（主線路導体１１）とインダクタＬ１４（コイル導体１４）との相互インダクタンスをＭ１２で表す。インダクタＬ１２（電流検出用導体１２）とインダクタＬ１３（コイル導体１３）との相互インダクタンスをＭ１３で表す。インダクタＬ１２（電流検出用導体１２）とインダクタＬ１４（コイル導体１４）との相互インダクタンスをＭ１４で表す。
【００５７】
インダクタＬ１１（主線路導体１１）とインダクタＬ１３（コイル導体１３）とは、図８（Ａ）に示す関係から、Ｍ１１＞０であり、結合係数は正となる。したがって、主線路導体１１とコイル導体１３とは正結合する。また、インダクタＬ１１（主線路導体１１）とインダクタＬ１４（コイル導体１４）とは、図８（Ｂ）に示す関係から、Ｍ１４＜０であり、結合係数は負となる。したがって、主線路導体１１とコイル導体１４とは負結合する。
【００５８】
同様に、インダクタＬ１２（電流検出用導体１２）とインダクタＬ１３（コイル導体１３）との結合係数は負となり、電流検出用導体１２とコイル導体１３は負結合する。インダクタＬ１２（電流検出用導体１２）とインダクタＬ１４（コイル導体１４）との結合係数は正であり、電流検出用導体１２とコイル導体１４は正結合する。
【００５９】
主線路導体１１とコイル導体１３，１４からなるインダクタ素子とが磁界結合しない場合、相互インダクタンスＭ１１と相互インダクタンスをＭ１２とは、Ｍ１１＋Ｍ１２＝０の関係を満たす。電流検出用導体１２とコイル導体１３，１４からなるインダクタ素子とが磁界結合しない場合、相互インダクタンスＭ１３と相互インダクタンスをＭ１４とは、Ｍ１３＋Ｍ１４＝０の関係を満たす。
【００６０】
なお、主線路導体１１及びコイル導体１３，１４からなるインダクタ素子は僅かに磁界結合していてもよい。詳しくは、Ｍ１１＋Ｍ１２≒０であってもよい。また、電流検出用導体１２及びコイル導体１３，１４からなるインダクタ素子も僅かに磁界結合していてもよい。詳しくは、Ｍ１２＋Ｍ１３≒０であってもよい。
【００６１】
以上説明したように、このように、電流検出用導体１２の誘導電流（又は誘導起電力）を検出することで、主線路導体１１に流れる電流を検出できる。すなわち、インダクタモジュール１は、主線路導体１１に流れる電流を検出する電流検出素子として用いることができる。また、コイル導体１３，１４からなるインダクタ素子は、主線路導体１１及び電流検出用導体１２から独立している。このため、インダクタモジュール１は、インダクタ素子としても用いることができる。すなわち、主線路導体１１に流れる電流を検出する電流検出素子と、独立したインダクタ素子とを同時に備えたインダクタモジュール１を実現できる。二つの素子を纏めて一つのモジュールとすることで、インダクタモジュール１を実装する装置を小型化できる。
【００６２】
なお、本実施形態のコイル導体１３，１４との位置関係においては、コイル導体１３，１４から構成されるインダクタ素子に電流を印加した場合、コイル導体１３に印加された電流によりコイル導体１４に生じる誘導起電力の高電位側と、コイル導体１４に印加する電流の流れ込む側とは一致する。言い換えると、インダクタＬ１３（コイル導体１３）とインダクタＬ１４（コイル導体１４）との相互インダクタンスをＭ１５で表すと、Ｍ１５＞０であり、結合係数は正となる。二つのインダクタＬ１，Ｌ２の相互インダクタンスをＭで表すと、二つのインダクタが接続され、かつ、磁界結合している場合の合成インダクタンスＬｃは、Ｌｃ＝Ｌ１＋Ｌ２＋２×Ｍで表すことができることから、本実施形態のコイル導体１３，１４から構成されるインダクタ素子のインダクタンスＬ３４はＬ３４＝Ｌ１３＋Ｌ１４＋２×Ｍ１５＞Ｌ１３＋Ｌ１４となり、互いに磁界結合していない場合のコイル導体１３，１４を直列接続した場合よりも大きいインダクタンスを得ることができる。よって、インダクタンスが大きいコイル導体１３，１４から構成されるインダクタ素子を形成できる。
【００６３】
なお、本実施形態では、主線路導体１１が直線状に形成されており、その直線状に伸びる方向に印加する電流が流れる。主線路導体１１が直線状であることで、曲線状に形成される場合と比べ最短距離で構成できるため、主線路導体１１の抵抗やインダクタンスの増加を抑えられる。よって、電流を検出したい回路に本実施形態のインダクタモジュール１を挿入することで生じる回路特性の変動を極力抑えることができる。
【００６４】
なお、本実施形態では、電流検出用導体１２及びコイル導体１３，１４のコイル開口を平面視したときに、電流検出用導体１２のコイル開口内にコイル導体１３，１４が収まる構成としている。これにより、電流検出用導体１２が主線路導体１１とコイル導体１３，１４との距離を離し、かつ、電流検出用導体１２が主線路導体１１とコイル導体１３，１４との電磁界結合（特に、電界結合）を阻害するシールドとしても機能する。これにより、主線路導体１１とコイル導体１３，１４の相互作用を抑えることができる。また、主線路導体１１と電流検出用導体１２とが近接する配置であるので、両方の相互インダクタンスを大きくすることができ、電流の検出感度を高めることができる。
【００６５】
なお、本実施形態では、電流検出用導体１２及びコイル導体１３，１４を同じ絶縁体に構成することにより、位置ずれによる電流検出用導体１２とコイル導体１３，１４とのわずかに生じる可能性のある磁界結合の変動を抑えることができる。電流検出用導体１２とコイル導体１３，１４は磁界結合しにくい構成としているため、わずかな磁界結合の変動でも影響が大きい。さらに、主線路導体１１も同一の絶縁体に形成することにより、位置ずれによる主線路導体と電流検出用導体１２とコイル導体１３，１４とのそれぞれの磁界結合の変動を抑えられる。なお、積層体１０は、一部に磁性体層を有していてもよい。この場合、電流検出用導体１２のインダクタンスを高くすることができ、電流検出用導体１２に生じる誘導起電力を大きくすることができるから電流検出感度を高められる。また、コイル導体１３，１４から構成されるインダクタ素子のインダクタンスも同様に高くすることができる。さらに、主線路導体１１の電流により生じる磁束、及び電流検出用導体１２周辺の磁束を層内に閉じ込めることができる。
【００６６】
また、本実施形態では、主線路導体１１とコイル導体１３とが正結合し、主線路導体１１とコイル導体１４とが負結合するようにしているが、結合の正負は逆であってもよい。具体的には、主線路導体１１とコイル導体１３とが負結合し、主線路導体１１とコイル導体１４とが正結合するようにしてもよい。
【００６７】
同様に、本実施形態では、電流検出用導体１２とコイル導体１３とが負結合し、電流検出用導体１２とコイル導体１４とが正結合するようにしているが、結合の正負は逆であってもよい。具体的には、電流検出用導体１２とコイル導体１３とが正結合し、電流検出用導体１２とコイル導体１４とが負結合するようにしてもよい。
【００６８】
なお、コイル導体１３，１４からなる一つのインダクタ素子が主線路導体１１や電流検出用導体１２と磁界結合しないとみなす基準は、主線路導体１１と前記インダクタ素子との結合係数の絶対値、及び、電流検出用導体１２と前記インダクタ素子との結合係数の絶対値それぞれが、主線路導体１１と電流検出用導体１２との結合係数の絶対値よりも小さいことを指す。他の実施形態でも同様に、主線路導体とインダクタ素子との結合係数の絶対値、及び、電流検出用導体とインダクタ素子との結合係数の絶対値それぞれが、主線路導体と電流検出用導体との結合係数の絶対値よりも小さい場合をインダクタ素子が主線路導体や電流検出用導体と磁界結合しないとみなす。
【００６９】
コイル導体１３，１４からなる一つのインダクタ素子と、主線路導体１１との結合係数、又は、前記インダクタ素子と電流検出用導体１２との結合係数は、複数の相互インダクタンスを考慮して算出する必要がある。
【００７０】
図１０は、複数の相互インダクタンスを考慮して結合係数を算出する場合について説明するための図である。
【００７１】
インダクタＬ１，Ｌ２の相互インダクタンスをＭ１２で表す。インダクタＬ１，Ｌ３の相互インダクタンスをＭ１３で表す。インダクタＬ１，Ｌ４の相互インダクタンスをＭ１４で表す。インダクタＬ２，Ｌ３の相互インダクタンスをＭ２３で表す。インダクタＬ２，Ｌ４の相互インダクタンスをＭ２４で表す。インダクタＬ３，Ｌ４の相互インダクタンスをＭ３４で表す。この場合、結合係数ｋは、ｋ＝（Ｍ１２＋Ｍ１４＋Ｍ２３＋Ｍ３４）／√（（Ｌ１＋Ｌ３＋２×Ｍ１３）×（Ｌ２＋Ｌ４＋２×Ｍ２４））で表すことができる。なお、各相互インダクタンスの正負は図８での定義と同様である。
【００７２】
前記式を用いることで、コイル導体１３，１４からなる一つのインダクタ素子と、主線路導体１１との結合係数等を算出できる。また、主線路導体、電流検出用導体、コイル導体がそれぞれ複数となった場合に関しても前記式を用いることで結合係数等を算出できる。
【００７３】
以下に、インダクタモジュール１の別の構成例について説明する。
【００７４】
図１１（Ａ）は、別の例のインダクタモジュール１Ａの平面図、図１１（Ｂ）は、図１１（Ａ）のＡ−Ａ線における断面図、図１１（Ｃ）は、図１１（Ａ）のＢ−Ｂ線における断面図である。なお、図１１（Ａ）に示す矢印は、主線路導体１１Ａ，１１Ｂと、電流検出用導体１２と、コイル導体１３，１４から構成されるインダクタ素子とにそれぞれ流れる電流の方向を示す。
【００７５】
インダクタモジュール１Ａは、主線路導体１１Ａ，１１Ｂの構成が、インダクタモジュール１と相違する。主線路導体１１Ａ，１１Ｂは、同方向に直線状に延びていて、互いに平行に形成されている。また、主線路導体１１Ａ，１１Ｂは、積層体１０の異なる層のフェライトシートに印刷された直線状の導体パターンが、不図示の層間接続導体により互いに接続されて形成されている。主線路導体１１Ａ，１１Ｂを複数の導体パターンから形成することで、主線路導体１１Ａ，１１Ｂのインダクタンス成分、及び抵抗成分を小さくできる。主線路導体１１Ａ，１１Ｂの間には、電流検出用導体１２及びコイル導体１３，１４が形成されている。主線路導体１１Ａ，１１Ｂには、互いに反対方向に電流が流れる。また、主線路導体１１Ａ，１１Ｂが層間接続導体により互いに接続されず、それぞれ差動線路に接続される場合、例えば、主線路導体１１Ａを差動線路の正相側に接続し、主線路導体１１Ｂを差動線路の逆相側に接続することにより、差動線路のバランス（平衡）を崩さずに電流を検出することができる。
【００７６】
図１２（Ａ）は、別の例のインダクタモジュール１Ｂの平面図、図１２（Ｂ）は、図１２（Ａ）のＡ−Ａ線における断面図である。なお、図１２（Ａ）に示す矢印は、主線路導体１１Ａ，１１Ｂと、電流検出用導体１２と、コイル導体１３Ａ，１４Ａから構成されるインダクタ素子とにそれぞれ流れる電流の方向を示す。
【００７７】
インダクタモジュール１Ｂは、コイル導体１３Ａ，１４Ａの構成が、図１１（Ａ）等で示すインダクタモジュール１Ａと相違する。コイル導体１３Ａ，１４Ａは、主線路導体１１Ａ，１１Ｂの間であって、主線路導体１１Ａ，１１Ｂの長手方向と直交する方向に配列されている。コイル導体１３Ａ，１４Ａは、平面視で、互いに反対方向に誘導電流が流れるよう形成されている。
【００７８】
図１３（Ａ）は、別の例のインダクタモジュール１Ｃの平面図、図１３（Ｂ）は、図１３（Ａ）のＡ−Ａ線における断面図、図１３（Ｃ）は、図１３（Ａ）のＢ−Ｂ線における断面図である。
【００７９】
この例のインダクタモジュール１Ｃは、主線路導体１１が積層体１０の下面（マザー基板に実装する側の主面）に設けられている点で、インダクタモジュール１と相違する。なお、主線路導体１１は積層体１０の表面または内部に形成される必要は無い。例えば、マザー基板側に主線路導体１１が形成されていてもよい。
【００８０】
図１４（Ａ）は、別の例のインダクタモジュール１Ｄの平面図、図１４（Ｂ）は、図１４（Ａ）のＡ−Ａ線における断面図、図１４（Ｃ）は、図１４（Ａ）のＢ−Ｂ線における断面図である。なお、図１４（Ａ）に示す矢印は、主線路導体１１と、電流検出用導体１２と、コイル導体１３Ｂ，１４Ｂから構成されるインダクタ素子とにそれぞれ流れる電流の方向を示す。
【００８１】
インダクタモジュール１Ｄは、コイル導体１３Ｂ，１４Ｂの構成が、インダクタモジュール１と相違する。コイル導体１３Ｂ，１４Ｂは、コイル開口が電流検出用導体１２のコイル開口と平面視で重なっている。つまり、コイル導体１３Ｂ，１４Ｂは構造の全てが電流検出用導体１２のコイル開口内におさまる必要は無い。
【００８２】
図１５（Ａ）及び図１６は、別の例のインダクタモジュール１Ｅの平面図、図１５（Ｂ）は、図１５（Ａ）のＡ−Ａ線における断面図、図１５（Ｃ）は、図１３（Ａ）のＢ−Ｂ線における断面図である。なお、図１５（Ａ）は、積層体１０の積層方向（Ｚ方向）において、積層体１０の上面（Ｚ方向での正側の積層体１０表面）を視た平面図、図１６は、積層体１０の積層方向（Ｚ方向）において、積層体１０の下面（Ｚ方向での負側の積層体１０表面）を視た平面図である。
【００８３】
インダクタモジュール１Ｅは、電流検出用導体１２Ａ及びコイル導体１３Ｃ，１４Ｃの構成が、インダクタモジュール１と相違する。電流検出用導体１２Ａ及びコイル導体１３Ｃ，１４Ｃは、平面視で、重ねて形成されている。詳しくは、電流検出用導体１２Ａは、積層体１０の積層方向の下側に形成されている。コイル導体１３Ｃ，１４Ｃは、積層体１０の積層方向の電流検出用導体１２Ａよりも上側に形成されている。電流検出用導体１２Ａ及びコイル導体１３Ｃ，１４Ｃを重ねることで、インダクタモジュール１Ｅの小型化を実現できる。なお、電流検出用導体１２Ａが積層体１０の積層方向の上側、コイル導体１３Ｃ，１４Ｃが積層体１０の積層方向の下側に形成されていてもよい。
【００８４】
図１７（Ａ）は、別の例のインダクタモジュール１Ｆの平面図、図１７（Ｂ）は、図１７（Ａ）のＡ−Ａ線における断面図、図１７（Ｃ）は、図１７（Ａ）のＢ−Ｂ線における断面図である。なお、図１７（Ａ）に示す矢印は、電流検出用導体１２Ｂと、コイル導体１３，１４から構成されるインダクタ素子とにそれぞれ流れる電流の方向を示す。
【００８５】
インダクタモジュール１Ｆは、電流検出用導体１２Ｂの構成が、インダクタモジュール１と相違する。電流検出用導体１２Ｂは、平面視で、一部が、主線路導体１１と重ねて形成されている。これにより、電流検出用導体１２Ｂを大きく形成することができ、電流検出用導体１２のインダクタンスが増加し、主線路導体１１との結合が強くなることで、電流検出感度を高めることができる。なお、電流検出用導体１２のコイル開口を平面視したとき、主線路導体１１が電流検出用導体１２のコイル開口を分断しないのがよい。主線路導体１１が電流検出用導体１２のコイル開口を分断すると、主線路導体１１に流れる電流により発生し、電流検出用導体１２のコイル開口を鎖交する磁束の中に、鎖交方向が互いに逆となるものが含まれるため、主線路導体１１と電流検出用導体１２との磁界結合を阻害する。
【００８６】
図１８（Ａ）は、別の例のインダクタモジュール１Ｇの平面図、図１７（Ｂ）は、図１８（Ａ）のＡ−Ａ線における断面図、図１８（Ｃ）は、図１８（Ａ）のＢ−Ｂ線における断面図である。なお、図１８（Ａ）に示す矢印は、電流検出用導体１２と、コイル導体１３Ｄ，１４Ｄから構成されるインダクタ素子とにそれぞれ流れる電流の方向を示す。
【００８７】
インダクタモジュール１Ｇは、コイル導体１３Ｄ，１４Ｄの構成が、インダクタモジュール１と相違する。コイル導体１３Ｄ，１４Ｄは、その形成位置が、主線路導体１１を挟んで電流検出用導体１２と反対方向に形成されている。この場合でも、電流検出用導体１２とコイル導体１３Ｄとの結合、または電流検出用導体１２とコイル導体１４Ｄとの結合の一方は正結合、他方は負結合であるため、コイル導体１３Ｄ，１４Ｄから構成されるインダクタ素子は独立したインダクタ素子として機能する。
【００８８】
そして、この構成により、コイル導体１３Ｄ，１４Ｄを大きく形成することができ、コイル導体１３Ｄ，１４Ｄから構成されるインダクタ素子のインダクタンスをより大きくすることができる。また、主線路導体１１が電流検出用導体１２とコイル導体１３Ｄ，１４Ｄとの距離を離し、かつ、主線路導体１１が電流検出用導体１２とコイル導体１３Ｄ，１４Ｄとの電磁界結合（特に、電界結合）を阻害するシールドとしても機能する。これにより、電流検出用導体１２とコイル導体１３Ｄ，１４Ｄとの相互作用を抑えることができる。
【００８９】
上述した各インダクタモジュールは二つのコイル導体を備えた構成としているが、コイル導体の数は適宜変更可能である。
【００９０】
図１９は、三つのコイル導体を備えたインダクタモジュール１Ｈを示す図である。図１９に示す矢印は、電流検出用導体１２と、コイル導体１３Ｅ，１３Ｆ,１４Ｅから構成されるインダクタ素子とにそれぞれ流れる電流の方向を示す。
【００９１】
インダクタモジュール１Ｈは、コイル導体１３Ｅ，１３Ｆ，１４Ｅを備えている。コイル導体１３Ｅとコイル導体１４Ｅは、コイル導体１３Ｅ，１４Ｅのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成、及び、積層体１０の下面（Ｚ方向での負側の積層体１０表面）側において接続されている。また、コイル導体１３Ｆとコイル導体１４Ｅは、コイル導体１３Ｆ，１４Ｅのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成、及び、積層体１０の上面（Ｚ方向での正側の積層体１０表面）側において接続されている。よって、コイル導体１３Ｅ，１３Ｆ，１４Ｅは、互いに接続され一つのインダクタ素子を構成している。
【００９２】
この場合、主線路導体１１とコイル導体１３Ｅ，１３Ｆとの結合、及び、主線路導体１１とコイル導体１４Ｅとの結合の一方が正結合、他方が負結合となる。その結果、それぞれの結合は互いに相殺し、主線路導体１１とコイル導体１３Ｅ，１３Ｆ，１４Ｅからなる一つのインダクタ素子とは磁界結合しない（又は磁界結合が弱い）。同様に、電流検出用導体１２とコイル導体１３Ｅ，１３Ｆとの結合、及び、主線路導体１１とコイル導体１４Ｅとの結合の一方が正結合、他方が負結合となる。その結果、それぞれの結合は互いに相殺し、電流検出用導体１２とコイル導体１３Ｅ，１３Ｆ，１４Ｅからなる一つのインダクタ素子とは磁界結合しない（又は磁界結合が弱い）。このように、磁界結合のバランス（正結合及び負結合）が取れていれば、コイル導体は三つ（又はそれ以上）であってもよい。
【００９３】
（実施形態２）
図２０（Ａ）は、実施形態２に係るインダクタモジュール２の平面図、図２０（Ｂ）は、図２０（Ａ）のＡ−Ａ線における断面図である。なお、図２０（Ａ）に示す平面図は透視図である。また、図２０（Ａ）に示す矢印は、主線路導体２１と、電流検出用導体２２Ａ,２２Ｂと、コイル導体２３から構成されるインダクタ素子とにそれぞれ流れる電流の方向を示す。
【００９４】
インダクタモジュール２は、複数のフェライトシートが積層され、複数のフェライトシートが一体として焼結されてなる積層体２０を備えている。積層体２０の一のフェライトシートの主面には、主要部分が一方向（Ｙ方向）に長い直線状の主線路導体２１が形成され、主線路導体２１には一方向（Ｙ方向）に電流が流れる。なお、主線路導体２１は、図１に示すように、複数のフェライトシートに印刷された直線状の導体パターンが層間接続導体により互いに並列接続されて形成されていてもよい。この場合、主線路導体２１のインダクタンス成分、及び抵抗成分を小さくできる。
【００９５】
インダクタモジュール２は、電流検出用導体２２Ａ，２２Ｂを備えている。電流検出用導体２２Ａ，２２Ｂは、巻回軸を積層体２０の積層方向にし、かつ、電流検出用導体２２Ａ，２２Ｂのコイル開口を平面視したとき、主線路導体２１を間に挟むようにして、形成されている。電流検出用導体２２Ａは、異なる層のフェライトシートの主面に形成された開ループ状導体が、層間接続導体（不図示）により接続されることで形成されている。電流検出用導体２２Ｂも同様に、異なる層のフェライトシートの主面に形成された開ループ状導体が、層間接続導体（不図示）により接続されることで形成されている。よって、電流検出用導体２２Ａ，２２Ｂは、円柱座標系において主線路導体２１を軸とし、主線路導体２１の電流が流れる方向（Ｙ方向）を軸方向としたときの周方向（φ方向）または周方向と接する直線（Ｚ方向）上に電流検出用導体２２Ａ，２２Ｂの巻回軸を有する。
【００９６】
電流検出用導体２２Ａ，２２Ｂの下側の一端は、積層体２０の下面の実装電極に接続されている。電流検出用導体２２Ａ，２２Ｂの上側の一端は、接続導体２４により互いに接続されている。接続導体２４は、主線路導体２１の上側（Ｚ方向の正側）を跨ぐようにして、フェライトシートの主面に形成されている。電流検出用導体２２Ａ，２２Ｂは、接続導体２４により直列に接続されることで、一つのコイルを形成している。
【００９７】
電流検出用導体２２Ａは、本発明に係る「第１検出用コイル導体」の一例である。電流検出用導体２２Ｂは、本発明に係る「第２検出用コイル導体」の一例である。
【００９８】
なお、接続導体２４は主線路導体２１から距離が離れた層に形成されていてもよい。この場合、接続導体２４と主線路導体１１との寄生容量を低減することができる。
【００９９】
インダクタモジュール２は、コイル導体２３を備えている。コイル導体２３は、巻回軸を積層体２０の積層方向にし、かつ、コイル導体２３のコイル開口を平面視したとき、電流検出用導体２２Ａ，２２Ｂを内側に囲うように形成されている。また、コイル導体２３は、コイル導体２３のコイル開口を平面視したときに、主線路導体２１によってコイル開口が二等分割されるように、主線路導体２１に対して配置される。このとき、コイル導体２３の巻回軸は積層体２０の積層方向（Ｚ方向）に伸びており、かつ、主線路導体２１と交わる。言い換えると、電流検出用導体２２Ａ，２２Ｂは、円柱座標系において主線路導体２１を軸とし、主線路導体２１の電流が流れる方向（Ｙ方向）を軸方向としたときの径方向（ｒ方向）に電流検出用導体２２Ａ，２２Ｂの巻回軸を有する。
【０１００】
このように形成されたインダクタモジュール２において、主線路導体２１に電流が流れると、主線路導体２１の周囲に向きが周方向（φ方向）の磁束が発生し、その磁束が電流検出用導体２２Ａ，２２Ｂのコイル開口を通過することで、主線路導体２１と電流検出用導体２２Ａ，２２Ｂとが磁界結合する。詳しくは、電流検出用導体２２Ａ，２２Ｂの一方には、コイル開口の上側から下側（Ｚ方向の負の方向）に向かう主線路導体２１による磁束が鎖交し、他方にはコイル開口の下側から上側（Ｚ方向の正の方向）に向かう主線路導体２１よる磁束が鎖交する。主線路導体２１と電流検出用導体２２Ａ，２２Ｂとが磁界結合することで、電流検出用導体２２Ａ，２２Ｂに誘導起電力が生じ、誘導起電力に応じて電流検出用導体２２Ａ，２２Ｂに誘導電流が流れる。
【０１０１】
電流検出用導体２２Ａ，２２Ｂは、電流検出用導体２２Ａ，２２Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、電流検出用導体２２Ａ，２２Ｂが形成及び接続されている。ここで、電流検出用導体２２Ａと電流検出用導体２２Ｂの構成の関係は図５、図６及び図７のコイル導体１３とコイル導体１４の構成の関係と同じである。したがって、主線路導体２１と電流検出用導体２２Ａ，２２Ｂとの磁界結合が弱まることはない。
【０１０２】
また、主線路導体２１に電流が流れて発生した磁束は、コイル導体２３のコイル開口にも通過する。しかしながら、コイル導体２３の巻回軸は主線路導体２１と交わるため、主線路導体２１は、コイル導体２３のコイル開口を平面視したとき、コイル導体２３のコイル開口を二等分割しており、主線路導体２１とコイル導体２３とは磁界結合しない（又は磁界結合が弱い）。
【０１０３】
図２１は、主線路導体２１とコイル導体２３とが磁界結合しない（又は磁界結合が弱い）理由を説明するための図である。なお、図２１では、電流検出用導体２２Ａ，２２Ｂの図示は省略している。
【０１０４】
コイル導体２３のコイル開口が主線路導体２１により分割された一方を領域Ａとし、他方を領域Ｂとする。主線路導体２１に電流が流れた場合、領域Ａ，Ｂの一方には、コイル導体２３のコイル開口の下側から上側（Ｚ方向の正の方向）に向かう磁束が通過し、他方には、コイル導体２３のコイル開口の上側から下側（Ｚ方向の負の方向）に向かう磁束が通過する。すなわち、領域Ａ，Ｂを通過する磁束の向きは、互いに反対方向となる。また、領域Ａ，Ｂは同面積であるため、通過する磁束の数は同じである。したがって、コイル導体２３のコイル開口と、主線路導体２１に流れる電流により生じる磁束との鎖交数は相殺する。この結果、主線路導体２１とコイル導体２３とは磁界結合しない（又は磁界結合が弱い）。
【０１０５】
また、電流検出用導体２２Ａ，２２Ｂは、コイル導体２３のコイル開口内に形成されているため、電流検出用導体２２Ａ，２２Ｂとコイル導体２３とは、磁界結合しない（又は磁界結合が弱い）。電流検出用導体２２Ａ，２２Ｂとコイル導体２３の構成の関係は、図１のコイル導体１３,１４と電流検出用導体１２の構成の関係と同じである。つまり、電流検出用導体２２Ａ，２２Ｂとコイル導体２３との磁界結合の関係においては、電流検出用導体２２Ａ，２２Ｂはコイル導体１３,１４に対応し、コイル導体２３は電流検出用導体１２に対応する。よって、電流検出用導体２２Ａとコイル導体２３、または、電流検出用導体２２Ｂとコイル導体２３の一方は正結合、他方は負結合であるため、電流検出用導体２２Ａ，２２Ｂとコイル導体２３とは、磁界結合しない（又は結合が弱い）。
【０１０６】
以上のように、インダクタモジュール２において、主線路導体２１に電流が流れ、主線路導体１１と磁界結合した電流検出用導体２２Ａ，２２Ｂに生じる誘導電流（又は誘導起電力）を検出することで、主線路導体２１に流れる電流を検出できる。また、コイル導体２３をインダクタ素子として用いることができる。すなわち、電流検出素子と、インダクタ素子とを同時に備えたインダクタモジュール２を実現できる。
【０１０７】
また、インダクタモジュール２は、主線路導体２１を中心に、電流検出用導体２２Ａ，２２Ｂが対称配置されているため、絶縁体層を積層して積層体２０を製造する際に積層ずれが生じ、主線路導体２１と電流検出用導体２２Ａとの距離が離れても、主線路導体２１と電流検出用導体２２Ｂとの距離は接近する。すなわち、主線路導体２１と電流検出用導体２２Ａとの磁界結合が弱くなっても、主線路導体２１と電流検出用導体２２Ｂとの磁界結合は強くなる。電流検出用導体２２Ａ，２２Ｂは直列接続され、一つのコイル導体を形成している。したがって、フェライトシートの積層ずれが生じても、主線路導体２１と、二つの電流検出用導体２２Ａ，２２Ｂとの磁界結合は略変わらない。
【０１０８】
なお、本実施形態の電流検出用導体２２Ａ，２２Ｂとの位置関係においては、電流検出用導体２２Ａと電流検出用導体２２Ｂとの磁界結合は、電流検出用導体２２Ａ，２２Ｂのインダクタンスを高める配置となっている。つまり、電流検出用導体２２Ａ，２２Ｂを単に直列接続した場合よりも大きいインダクタンスを得ることができる。このため、より電流検出感度を高めることができる。
【０１０９】
以下に、別の構成のインダクタモジュールについて説明する。
【０１１０】
図２２（Ａ）は、別の例のインダクタモジュール２Ａの平面図、図２２（Ｂ）は、図２２（Ａ）のＡ−Ａ線における断面図、図２２（Ｃ）は、図２２（Ａ）のＢ−Ｂ線における断面図である。
【０１１１】
インダクタモジュール２Ａは、コイル導体２３Ａ，２３Ｂの構成が、インダクタモジュール２と相違する。コイル導体２３Ａ，２３Ｂは、主線路導体２１の電流が流れる方向（Ｙ方向）に沿って配置され、かつ、直列接続されることで一つのインダクタ素子を形成している。また、コイル導体２３Ａ，２３Ｂは、コイル導体２３Ａ，２３Ｂのそれぞれの巻回軸が、円柱座標系において主線路導体２１を軸とし、主線路導体２１の電流が流れる方向（Ｙ方向）を軸方向としたときの径方向（ｒ方向）であるから、コイル導体２３Ａ，２３Ｂのコイル開口を平面視したとき、コイル導体２３Ａ，２３Ｂのそれぞれのコイル開口が、主線路導体２１により二等分割されるよう形成されている。この場合も、図２１での説明と同様に、主線路導体２１とコイル導体２３Ａは磁界結合せず（又は結合が弱い），また、主線路導体２１とコイル導体２３Ｂとは磁界結合しない（又は結合が弱い）。また、電流検出用導体２２Ａ，２２Ｂとコイル導体２３Ａ，２３Ｂとも磁界結合しない（又は結合が弱い）。
【０１１２】
なお、この例では、コイル導体２３Ａ，２３Ｂのコイル開口は主線路導体２１により二等分割されている。そして、二つの領域の一方と、電流検出用導体２２Ａとが重なる面積、及び、二つの領域の他方と、電流検出用導体２２Ｂとが重なる面積は等しい。したがって、二つの領域それぞれを通過する磁束は等しく、互いに打ち消し合う。このため、コイル導体２３Ａ，２３Ｂに流れる誘導電流の向きを限定しなくても、電流検出用導体２２Ａ，２２Ｂとコイル導体２３Ａ，２３Ｂとは磁界結合しない（又は結合が弱い）。よって、コイル導体２３Ａとコイル導体２３Ｂとの接続方法は、問わない。ただし、コイル導体２３Ａ，２３Ｂのコイル開口の平面視で、コイル導体２３Ａとコイル導体２３Ｂにそれぞれ互いに反対方向に周回する電流が流れるように接続した場合、コイル導体２３Ａとコイル導体２３Ｂとの磁界結合は、コイル導体２３Ａ，２３Ｂのインダクタンスを高める配置となる。このため、よりコイル導体２３Ａ，２３Ｂから構成されるインダクタ素子のインダクタンスを高めることができる。
【０１１３】
図２３（Ａ）は、別の例のインダクタモジュール２Ｂの平面図、図２３（Ｂ）は、図２３（Ａ）のＡ−Ａ線における断面図、図２３（Ｃ）は、図２３（Ａ）のＢ−Ｂ線における断面図である。図２３（Ａ）に示す矢印は、主線路導体２１と、電流検出用導体２２Ｃと、コイル導体２３Ａ，２３Ｂから構成されるインダクタ素子とにそれぞれ流れる電流の方向を示す。
【０１１４】
インダクタモジュール２Ｂは、電流検出用導体２２Ｃの構成が、図２２（Ａ）等に示すインダクタモジュール２Ａと相違する。電流検出用導体２２Ｃは、電流検出用導体２２Ｃのコイル開口を平面視したとき、主線路導体２１と間隙をおいて隣接配置されている。コイル導体２３Ａ，２３Ｂは、図２２（Ａ）等で説明した構成と同じであるが、コイル導体２３Ａ，２３Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成及び接続されている。
【０１１５】
この場合も、図２２（Ａ）等での説明と同様に、主線路導体２１とコイル導体２３Ａ，２３Ｂとは磁界結合しない（又は結合が弱い）。
【０１１６】
またこの場合も、実施形態１での図１や図１４等での説明と同様に、電流検出用導体２２Ｃとコイル導体２３Ａ、または、電流検出用導体２２Ｃとコイル導体２３Ｂとの一方は正結合、他方は負結合であるため、電流検出用導体２２Ｃとコイル導体２３とコイル導体２３Ａ，２３Ｂとは、磁界結合しない（又は結合が弱い）。
【０１１７】
図２４（Ａ）は、別の例のインダクタモジュール２Ｃの平面図、図２４（Ｂ）は、図２４（Ａ）のＡ−Ａ線における断面図である。図２４（Ａ）に示す矢印は、電流検出用導体２２Ｃと、コイル導体２３Ｃから構成されるインダクタ素子とにそれぞれ流れる電流の方向を示す。
【０１１８】
インダクタモジュール２Ｃは、コイル導体２３Ｃの構成が、図２３（Ａ）等に示すインダクタモジュール２Ｂと相違する。コイル導体２３Ｃは、コイル導体２３Ｃの巻回軸が、円柱座標系において主線路導体２１を軸とし、主線路導体２１の電流が流れる方向（Ｙ方向）を軸方向としたときの径方向（ｒ方向）であるから、コイル導体２３Ｃのコイル開口を平面視したときに、主線路導体２１によってコイル開口が分割されるように、主線路導体２１に対して配置される。このとき、コイル導体２３の巻回軸は主線路導体２１と交わる。また、コイル導体２３Ｃのコイル開口を平面視したときに、コイル導体２３は、その一部が、電流検出用導体２２Ｃのコイル開口を分割するよう形成されている。
【０１１９】
図２０等での説明と同様に、主線路導体２１とコイル導体２３Ｃとは磁界結合しない（又は結合が弱い）。また、電流検出用導体２２Ｃとコイル導体２３Ｃとも磁界結合しない（又は結合が弱い）。
【０１２０】
図２５は、電流検出用導体２２Ｃとコイル導体２３Ｃとが磁界結合しない（又は結合が弱い）理由を説明するための図である。なお、図２５では、積層体２０及び主線路導体２１の図示は省略している。
【０１２１】
電流検出用導体２２Ｃのコイル開口がコイル導体２３Ｃにより分割された一方を領域Ｃとし、他方を領域Ｄとする。コイル導体２３Ｃに流れる電流により、コイル導体２３Ｃの周囲に磁束が発生した場合、領域Ｃ，Ｄの一方には、コイル導体２３Ｃのコイル開口の下側から上側（Ｙ方向の正の方向）に向かう磁束が通過し、他方には、コイル導体２３Ｃのコイル開口の上側から下側（Ｙ方向の負の方向）に向かう磁束が通過する。すなわち、領域Ｃ，Ｄを通過する磁束の向きは、互いに反対方向となる。したがって、電流検出用導体２２Ｃのコイル開口内では、磁束は互いに打ち消し合う。この結果、電流検出用導体２２Ｃとコイル導体２３Ｃとは磁界結合しない（又は結合が弱い）。なお、領域Ｃ，Ｄとでは領域内の磁束密度分布が異なるため、領域Ｃと領域Ｄとでの磁束の通過本数が同じとなるように、領域Ｃと領域Ｄとの面積の割合が決められている。
【０１２２】
図２６（Ａ）は、別の例のインダクタモジュール２Ｄの平面図、図２６（Ｂ）は、図２６（Ａ）のＡ−Ａ線における断面図である。図２６（Ａ）に示す矢印は、電流検出用導体２２Ｄ,２２Ｅと、コイル導体２３Ｃから構成されるインダクタ素子とにそれぞれ流れる電流の方向を示す。
【０１２３】
インダクタモジュール２Ｄは、電流検出用導体２２Ｄ，２２Ｅの構成が、図２４（Ａ）等に示すインダクタモジュール２Ｃと相違する。電流検出用導体２２Ｄ，２２Ｅは、図２５で説明した領域Ｃ，Ｄの位置に形成されている。電流検出用導体２２Ｄ，２２Ｅは、図２２（Ａ）等で説明したように、誘導電流が打ち消し合わないように接続されている。また、電流検出用導体２２Ｄ，２２Ｅは、電流検出用導体２２Ｄ，２２Ｅに電流を印加した場合、電流検出用導体２２Ｄ，２２Ｅのコイル開口の平面視で、電流検出用導体２２Ｄと電流検出用導体２２Ｅは、それぞれ互いに同方向に周回する電流が流れようとすると電流は打ち消し合わない（強め合う）ように、形成及び接続されている。
【０１２４】
例えば、電流検出用導体２２Ｄ，２２Ｅの巻回方向が、電流検出用導体２２Ｄ，２２Ｅのコイル開口の平面視で反対方向である場合、それぞれ電流検出用導体２２Ｄ，２２Ｅの上側一端を接続すればよい。または、それぞれ電流検出用導体２２Ｄ，２２Ｅの下側一端を接続してもよい。また、電流検出用導体２２Ｄ，２２Ｅの巻回方向が、電流検出用導体２２Ｄ，２２Ｅのコイル開口の平面視で同方向である場合、電流検出用導体２２Ｄの上側の一端と、電流検出用導体２２Ｅの下側の一端とを接続すればよい。または、電流検出用導体２２Ｄの下側の一端と、電流検出用導体２２Ｅの上側の一端とを接続してもよい。
【０１２５】
この場合、図２５での説明と同様、コイル導体２３Ｃから磁束が発生した場合、電流検出用導体２２Ｄ，２２Ｅを通過する磁束の向きは、互いに反対方向となる。よって、電流検出用導体２２Ｄとコイル導体２３Ｃ、または、電流検出用導体２２Ｅとコイル導体２３Ｃとの一方は正結合、他方は負結合であるため、電流検出用導体２２Ｄ，２２Ｅとコイル導体２３Ｃは、磁界結合しない（又は結合が弱い）。さらに、電流検出用導体２２Ｄ，２２Ｅと電流検出用導体２２Ｄ，２２Ｅを通る磁束との鎖交数が等しくなるように、電流検出用導体２２Ｄ，２２Ｅの面積や巻回数を決めて形成することで、より電流検出用導体２２Ｄ，２２Ｅとコイル導体２３Ｃの磁界結合を弱めることができる。
【０１２６】
図２７（Ａ）は、別の例のインダクタモジュール２Ｅの平面図、図２７（Ｂ）は、図２７（Ａ）のＡ−Ａ線における断面図である。図２７（Ａ）に示す矢印は、主線路導体２１と、電流検出用導体２２Ａ，２２Ｂと、コイル導体２３Ｄから構成されるインダクタ素子とにそれぞれ流れる電流の方向を示す。
【０１２７】
インダクタモジュール２Ｅは、コイル導体２３Ｄの構成が、図２０（Ａ）等に示すインダクタモジュール２と相違する。コイル導体２３Ｄは、巻回軸を主線路導体２１に電流が流れる方向（Ｙ方向）とし、かつ、その巻回軸と主線路導体２１とが同位置となるように形成されている。また、電流検出用導体２２Ａ，２２Ｂは、コイル導体２３Ｄのコイル開口内において、主線路導体２１を中心に対称となる位置に形成されている。
【０１２８】
この場合、主線路導体２１は、コイル導体２３Ｄの巻回軸方向に形成されているので、主線路導体２１に電流が流れることで主線路導体２１の周囲に向きが周方向（φ方向）である磁束が発生しても、主線路導体２１とコイル導体２３Ｄとは磁界結合しない（又は結合が弱い）。
【０１２９】
電流検出用導体２２Ａ，２２Ｂは、電流検出用導体２２Ａ，２２Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成及び接続されている。これにより、電流検出用導体２２Ａとコイル導体２３Ｄ、または、電流検出用導体２２Ｂとコイル導体２３Ｄとの一方は正結合、他方は負結合であるため、電流検出用導体２２Ａ，２２Ｂとコイル導体２３Ｄは、磁界結合しない（又は結合が弱い）。さらに、コイル導体２３Ｄの形状及び配置は、コイル導体２３Ｄのコイル開口の中心となる巻回軸、すなわち、主線路導体２１を基準に対称となっているので、より電流検出用導体２２Ａ，２２Ｂとコイル導体２３Ｄの磁界結合を弱めることができる。
【０１３０】
図２８（Ａ）は、別の例のインダクタモジュール２Ｆの平面図、図２８（Ｂ）は、図２８（Ａ）のＡ−Ａ線における断面図である。図２８（Ａ）に示す矢印は、主線路導体２１と、電流検出用導体２２Ｃと、コイル導体２３Ｅ１, ２３Ｅ２から構成されるインダクタ素子とにそれぞれ流れる電流の方向を示す。
【０１３１】
インダクタモジュール２Ｆは、コイル導体２３Ｅ１，２３Ｅ２の構成が、図２７等に示すインダクタモジュール２Ｅと相違する。コイル導体２３Ｅ１，２３Ｅ２は、巻回軸を主線路導体２１に電流が流れる方向（Ｙ方向）とし、かつ、その巻回軸と主線路導体２１とが同位置となるように形成されている。コイル導体２３Ｅ１は、コイル導体２３Ｅ２よりもコイル径が大きく、巻回軸方向から視て、コイル導体２３Ｅ２は、コイル導体２３Ｅ１のコイル開口内に形成されている。また、コイル導体２３Ｅ２は、電流検出用導体２２Ａのコイル開口内を通るように形成されている。なお、コイル導体２３Ｅ１，２３Ｅ２は、一方は無くてもよいし、電流検出用導体２２Ａのコイル開口の内側または外側のどちらを通るように形成してもよい。
【０１３２】
また、コイル導体２３Ｅ１，２３Ｅ２は、電流検出用導体２２Ｃの巻回軸（電流検出用導体２２Ｃのコイル開口の中央部）を基準に対称となる形状及び配置である。これにより、コイル導体２３Ｅ１，２３Ｅ２に電流が流れることでコイル導体２３Ｅ１，２３Ｅ２の周囲に発生する磁束は、コイル導体２３Ｅ１，２３Ｅ２を境に電流検出用導体２２Ｃのコイル開口の一方側に鎖交する磁束と他方側に鎖交する磁束とが同じ本数かつ逆向きに鎖交する。よって、コイル導体２３Ｅ１，２３Ｅ２と電流検出用導体２２Ｃとは磁界結合しない（又は結合が弱い）。なお、電流検出用導体は図２７と同様に複数配置してもよい。
【０１３３】
（実施形態３）
図２９（Ａ）は、実施形態３に係るインダクタモジュール３の平面図、図２９（Ｂ）は、図２９（Ａ）のＡ−Ａ線における断面図である。なお、図２９（Ａ）に示す平面図は透視図である。また、図２９（Ａ）に示す矢印は、主線路導体３１と、電流検出用導体３２Ａ,３２Ｂと、コイル導体３３Ａ，３３Ｂから構成される一つのインダクタ素子とにそれぞれ流れる電流の方向を示す。
【０１３４】
インダクタモジュール３は、複数のフェライトシートが積層され、複数のフェライトシートが一体として焼結されてなる積層体３０を備えている。積層体３０の一のフェライトシートの主面には、主要部分が一方向に（Ｙ方向）長い直線状の主線路導体３１が形成され、主線路導体２１には一方向（Ｙ方向）に電流が流れる。なお、主線路導体３１は、複数のフェライトシートに印刷された直線状の導体パターンが層間接続導体により互いに接続されて形成されていてもよい。この場合、主線路導体３１のインダクタンス成分、及び抵抗成分を小さくできる。
【０１３５】
インダクタモジュール３は、電流検出用導体３２Ａ，３２Ｂを備えている。電流検出用導体３２Ａ，３２Ｂは、巻回軸を積層体３０の積層方向にし、かつ、電流検出用導体３２Ａ，３２Ｂのコイル開口を平面視したとき、主線路導体３１を間に挟むようにして、形成されている。電流検出用導体３２Ａ，３２Ｂは、異なる層のフェライトシートの主面に形成された開ループ状導体が、層間接続導体（不図示）により接続されることで形成されている。よって、電流検出用導体３２Ａ，３２Ｂは、円柱座標系において主線路導体３１を軸とし、主線路導体３１の電流が流れる方向（Ｙ方向）を軸方向としたときの周方向（φ方向）または周方向と接する直線（Ｚ方向）上に電流検出用導体３２Ａ，３２Ｂの巻回軸を有する位置である。
【０１３６】
電流検出用導体３２Ａ，３２Ｂの下側の一端は、積層体３０の下面をマザー基板に実装するための実装電極に接続されている。電流検出用導体３２Ａ，３２Ｂの上側の一端は、互いに接続されている。これにより、電流検出用導体３２Ａ，３２Ｂは直列に接続され、一つのコイルを形成している。電流検出用導体３２Ａ，３２Ｂは、図２０（Ａ）で説明した電流検出用導体２２Ａ，２２Ｂと同様に接続されている。つまり、電流検出用導体３２Ａ，３２Ｂは、電流検出用導体３２Ａ，３２Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成及び接続されている。よって、主線路導体３１と電流検出用導体２２Ａ，２２Ｂとの磁界結合も図２０（Ａ）と同様である。電流検出用導体３２Ａ，３２Ｂは、主線路導体３１に電流が流れることで発生する磁束により、電流検出用導体３２Ａ，３２Ｂに誘導起電力が生じ、誘導起電力に応じて生じる誘導電流は打ち消されない（強め合う）。そして、誘導電流（又は誘導起電力）を検出することで、主線路導体３１に流れる電流を検出できる。
【０１３７】
インダクタモジュール３は、コイル導体３３Ａ，３３Ｂを備えている。コイル導体３３Ａ，３３Ｂは、巻回軸を積層体３０の積層方向（Ｚ方向）にし、かつ、コイル導体３３Ａ，３３Ｂのコイル開口を平面視したとき、電流検出用導体３２Ａ，３２Ｂのコイル開口内に位置し、さらに、主線路導体３１を間に挟むようにして形成されている。よって、コイル導体３３Ａ，３３Ｂは、円柱座標系において主線路導体３１を軸とし、主線路導体３１の電流が流れる方向（Ｙ方向）を軸方向としたときの周方向（φ方向）又は周方向と接する直線（Ｚ方向）上にコイル導体３３Ａ，３３Ｂの巻回軸を有する位置である。そして、コイル導体３３Ａ，３３Ｂは、コイル導体３３Ａ，３３Ｂのコイル開口の平面視で、それぞれ互いに反対方向に周回する電流が流れようとすると電流は打ち消し合う（弱め合う）ように、かつ、それぞれ互いに同方向に周回する電流が流れようとすると電流は打ち消し合わない（強め合う）ように、コイル導体３３Ａ，３３Ｂが形成及び接続されている。よって、図２６（Ａ）の電流検出用導体２２Ｄと電流検出用導体２２Ｅで示した巻回方向と接続の仕方と同様である。
【０１３８】
よって、コイル導体３３Ａ，３３Ｂは、主線路導体３１との結合が互いに正負反対となるように形成されている。例えば、コイル導体３３Ａと主線路導体３１とが正結合（結合係数は正）する場合、コイル導体３３Ｂと主線路導体３１とは負結合（結合係数は負）する。なお、コイル導体３３Ａと主線路導体３１とが負結合（結合係数は負）、コイル導体３３Ｂと主線路導体３１とは正結合（結合係数は正）でもよい。これにより、主線路導体３１と、コイル導体３３Ａ，３３Ｂからなる一つのインダクタ素子とは、磁界結合しない（又は磁界結合が弱い）。
【０１３９】
また、コイル導体３３Ａ，３３Ｂは、電流検出用導体３２Ａ，３２Ｂとの結合が互いに正負反対となるように形成されている。例えば、コイル導体３３Ａは電流検出用導体３２Ａと正結合（結合係数は正）し、コイル導体３３Ｂは電流検出用導体３２Ｂと負結合（結合係数は負）するように形成されている。なお、コイル導体３３Ａと電流検出用導体３２Ａとが負結合（結合係数は負）、コイル導体３３Ｂと電流検出用導体３２Ｂとは正結合（結合係数は正）でもよい。図２９（Ａ）において、電流検出用導体３２Ａ，３２Ｂ、コイル導体３３Ａ，３３Ｂに電流が印加された場合、電流検出用導体３２Ａ，３２Ｂ、コイル導体３３Ａ，３３Ｂのコイル開口の平面視で、互いのコイル開口が重なるコイル導体３３Ａと電流検出用導体３２Ａとの印加電流は、それぞれ互いに同じ方向に電流が周るように流れ、互いのコイル開口が重なるコイル導体３３Ｂと電流検出用導体３２Ｂとの印加電流は、それぞれ互いに反対方向に電流が周るように流れる。これにより、電流検出用導体３２Ａ，３２Ｂと、コイル導体３３Ａ，３３Ｂとは磁界結合しない（又は磁界結合が弱い）。これにより、コイル導体３３Ａ，３３Ｂを、独立したインダクタ素子として用いることができる。
【０１４０】
インダクタモジュール３は、主線路導体３１を中心に、電流検出用導体３２Ａ，３２Ｂが対称配置されているため、絶縁体層を積層して積層体３０を製造する際に積層ずれが生じ、主線路導体３１と電流検出用導体３２Ａとの距離が離れても、主線路導体３１と電流検出用導体３２Ｂとの距離は接近する。すなわち、主線路導体３１と電流検出用導体３２Ａとの磁界結合が弱くなっても、主線路導体３１と電流検出用導体３２Ｂとの磁界結合は強くなる。電流検出用導体３２Ａ，３２Ｂは直列接続され、一つのコイル導体を形成している。したがって、フェライトシートの積層ずれが生じても、主線路導体２１と、二つの電流検出用導体３２Ａ，３２Ｂとの磁界結合は略変わらない。
【０１４１】
また、インダクタモジュール３は、主線路導体３１を中心とした対称構造であるため、フェライトシートを積層して焼結する際の反りを軽減できる。これにより、主線路導体３１と、電流検出用導体３２Ａ，３２Ｂとの位置関係のずれを、さらに抑制できる。
【０１４２】
なお、本実施形態では、電流検出用導体３２Ａ，３２Ｂ及びコイル導体３３Ａ，３３Ｂのコイル開口を平面視したときに、電流検出用導体３２Ａのコイル開口内にコイル導体３３Ａが収まり、電流検出用導体３２Ｂのコイル開口内にコイル導体３３Ｂが収まる構成としている。これにより、電流検出用導体３２Ａ，３２Ｂが主線路導体３１とコイル導体３３Ａ，３３Ｂとの距離を離し、かつ、電流検出用導体３２Ａ，３２Ｂが主線路導体３１とコイル導体３３Ａ，３３Ｂとの電磁界結合（特に、電界結合）を阻害するシールドとしても機能する。これにより、主線路導体３１とコイル導体３３Ａ，３３Ｂの相互作用を抑えることができる
また、電流検出用導体３２Ａ，３２Ｂは、電流検出用導体３２Ａ，３２Ｂのコイル開口の平面視で、それぞれ互いに同方向に周回する電流が流れようとすると電流は打ち消し合う（弱め合う）ように形成及び接続されている。このことから、電流検出用導体３２Ａ，３２Ｂのコイル開口に同じ方向の一様な磁束が鎖交しても、電流検出用導体３２Ａ，３２Ｂには誘導電流が流れにくい。よって、本実施形態での電流検出用導体３２Ａ，３２Ｂの構成は外部からの磁束の影響を受けにくい構造となっている。
【０１４３】
以下に、別の例のインダクタモジュールについて説明する。
【０１４４】
図３０（Ａ）は、別の例のインダクタモジュール３Ａの平面図、図３０（Ｂ）は、図３０（Ａ）のＡ−Ａ線における断面図、図３０（Ｃ）は、図３０（Ａ）のＢ−Ｂ線における断面図である。なお、図３０（Ａ）に示す平面図は透視図である。また、図３０（Ａ）に示す矢印は、電流検出用導体３２Ａ,３２Ｂと、コイル導体３３Ｃ，３３Ｄの二つのインダクタ素子とにそれぞれ流れる電流の方向を示す。
【０１４５】
インダクタモジュール３Ａは、コイル導体３３Ｃ，３３Ｄの構成が、インダクタモジュール３と相違する。コイル導体３３Ｃ，３３Ｄは、互いに独立している。すなわち、インダクタモジュール３Ａは、２つのインダクタ（コイル導体３３Ｃ，３３Ｄ）を備えている。
【０１４６】
コイル導体３３Ｃは、コイル導体３３Ｃ１とコイル導体３３Ｃ２とが直列接続されて形成されている。コイル導体３３Ｃ１，３３Ｃ２のコイル開口を平面視したとき、コイル導体３３Ｃ１は電流検出用導体３２Ａのコイル開口内に，コイル導体３３Ｃ１は電流検出用導体３２Ｂのコイル開口内に位置する。コイル導体３３Ｃ１，３３Ｃ２は、主線路導体３１に電流が流れる方向（Ｙ方向）に直交する方向（Ｘ方向）に配列されている。そして、コイル導体３３Ｃ１とコイル導体３３Ｃ２の構造および接続は図２９のコイル導体３３Ａ，３３Ｂと同様である。
【０１４７】
コイル導体３３Ｄは、コイル導体３３Ｄ１とコイル導体３３Ｄ２とが直列接続されて形成されている。コイル導体３３Ｄ１，３３Ｄ２のコイル開口を平面視したとき、コイル導体３３Ｄ１は電流検出用導体３２Ａのコイル開口内に，コイル導体３３Ｄ１は電流検出用導体３２Ｂのコイル開口内に位置する。コイル導体３３Ｄ１，３３Ｄ２は、主線路導体３１に電流が流れる方向（Ｙ方向）に直交する方向（Ｘ方向）に配列されている。そして、コイル導体３３Ｄ１とコイル導体３３Ｄ２の構造および接続は図２９のコイル導体３３Ａ，３３Ｂと同様である。
【０１４８】
この場合、電流検出用導体３２Ａとコイル導体３３Ｃ１とは正結合し、電流検出用導体３２Ｂとコイル導体３３Ｃ２とは負結合する。その結果、図２９と同様に、電流検出用導体３２Ａ，３２Ｂとコイル導体３３Ｃとは磁界結合しない（又は磁界結合が弱い）。同様に、電流検出用導体３２Ａ，３２Ｂとコイル導体３３Ｄとも磁界結合しない（又は磁界結合が弱い）。また、主線路導体３１とコイル導体３３Ｃ，３３Ｄとも磁界結合しない（又は磁界結合が弱い）。
【０１４９】
なお、コイル導体３３Ｃ，３３Ｄは直列接続されることにより、一つのインダクタ素子としてもよい。その場合、コイル導体３３Ｃ１，３３Ｄ１との位置関係においては、図１のコイル導体１３,１４と同様の電流の方向が定められる接続方法とすることで、コイル導体３３Ｃ１とコイル導体３３Ｄ１との磁界結合は、コイル導体３３Ｃ１，３３Ｄ１のインダクタンスを高める配置となっている。また、コイル導体３３Ｃ２，３３Ｄ２との位置関係においても、図１のコイル導体１３,１４と同様の電流の方向が定められる接続方法とすることで、コイル導体３３Ｃ２とコイル導体３３Ｄ２との磁界結合は、コイル導体３３Ｃ２，３３Ｄ２のインダクタンスを高める配置となっている。よって、コイル導体３３Ｃ，３３Ｄを単に直列接続した場合よりも大きいインダクタンスを有するインダクタ素子を得ることができる。
【０１５０】
図３１（Ａ）は、別の例のインダクタモジュール３Ｂの平面図、図３１（Ｂ）は、図３１（Ａ）のＡ−Ａ線における断面図、図３１（Ｃ）は、図３１（Ａ）のＢ−Ｂ線における断面図である。なお、図３１（Ａ）に示す平面図は透視図である。また、図３１（Ａ）に示す矢印は、電流検出用導体３２Ａ,３２Ｂと、コイル導体３３Ｃ，３３Ｄの二つのインダクタ素子とにそれぞれ流れる電流の方向を示す。
【０１５１】
インダクタモジュール３Ｂは、コイル導体３３Ｃ，３３Ｄの構成が、図３０（Ａ）等に示すインダクタモジュール３Ａと相違する。コイル導体３３Ｃ１，３３Ｄ２が主線路導体３１に電流が流れる方向（Ｙ方向）に直交する方向（Ｘ方向）に配列されている。また、コイル導体３３Ｃ２，３３Ｄ１が主線路導体３１に電流が流れる方向（Ｙ方向）に直交する方向（Ｘ方向）に配列されている。
【０１５２】
この構成であっても、電流検出用導体３２Ａ，３２Ｂとコイル導体３３Ｃ，３３Ｄとは磁界結合しない（又は磁界結合が弱い）。また、主線路導体３１とコイル導体３３Ｃ，３３Ｄとも磁界結合しない。
【０１５３】
なお、コイル導体３３Ｃ，３３Ｄは直列接続されることにより、一つのインダクタ素子としてもよい。その場合、図３０（Ａ）の変形例で説明したように、コイル導体３３Ｃ１と３３Ｄ１との磁界結合、コイル導体３３Ｃ２と３３Ｄ２との磁界結合は、コイル導体３３Ｃ，３３Ｄのインダクタンスを高めるように接続するのがよい。さらに、コイル導体３３Ｃ１，３３Ｄ２との位置関係においても、図１のコイル導体１３,１４と同様の電流の方向が定められる接続方法とすることで、コイル導体３３Ｃ１とコイル導体３３Ｄ２との磁界結合は、コイル導体３３Ｃ１，３３Ｄ２のインダクタンスを高める配置となっている。また、コイル導体３３Ｃ２，３３Ｄ１との位置関係においては、コイル導体３３Ｃ２とコイル導体３３Ｄ１との磁界結合は、コイル導体３３Ｃ２，３３Ｄ１のインダクタンスを高める配置となっている。よって、図３０（Ａ）の変形例で説明した場合よりも、さらに大きいインダクタンスを有するインダクタ素子を得ることができる。
【０１５４】
（実施形態４）
図３２（Ａ）は、実施形態４に係るインダクタモジュール４の平面図、図３２（Ｂ）は、図３２（Ａ）のＡ−Ａ線における断面図である。なお、図３２（Ａ）に示す平面図は透視図である。図３３は、電流検出用導体４２Ａ，４２Ｂ及びコイル導体４３Ａ，４３Ｂにそれぞれ流れる電流の方向を示す図である。
【０１５５】
インダクタモジュール４は、複数のフェライトシートが積層され、複数のフェライトシートが一体として焼結されてなる積層体４０を備えている。積層体４０には、周囲よりも透磁率が低い低透磁率部４０Ａが形成されている。低透磁率部４０Ａには、積層方向（Ｚ方向）に沿って円柱形状の主線路導体４１が形成され、主線路導体４１には一方向（Ｚ方向）に電流が流れる。なお、主線路導体はビア導体等の層間接続導体により形成される。主線路導体４１の周囲の透磁率は低いため、主線路導体４１近傍の磁束密度を小さくでき、主線路導体４１のインダクタンス成分又は磁気損失を小さくできる。さらに、主線路導体４１周りの磁気飽和を防止できる。
【０１５６】
積層体４０には、コイル状の電流検出用導体４２Ａ，４２Ｂが形成されている。電流検出用導体４２Ａ，４２Ｂは、巻回軸を積層方向に直交する方向（Ｙ方向）にし、かつ、電流検出用導体４２Ａ，４２Ｂそれぞれの巻回軸が平行となるように形成されている。また、電流検出用導体４２Ａ，４２Ｂは、間に主線路導体４１が介在するよう形成されている。よって、電流検出用導体４２Ａ，４２Ｂは、円柱座標系において主線路導体４１を軸とし、主線路導体４１の電流が流れる方向（Ｚ方向）を軸方向としたときの周方向（φ方向）または周方向と接する直線（Ｙ方向）上に電流検出用導体４２Ａ，４２Ｂの巻回軸を有する。そして、電流検出用導体４２Ａ，４２Ｂは、電流検出用導体４２Ａ，４２Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成及び接続されている。
【０１５７】
主線路導体４１に電流が流れた場合、周方向（φ方向）に沿った向きの磁束が発生する。電流検出用導体４２Ａ，４２Ｂには、主線路導体４１に電流が流れることで生じる磁束により電流検出用導体４２Ａ，４２Ｂに誘導起電力が生じ、誘導起電力に応じて生じる誘導電流は打ち消されない（強め合う）。そして、誘導電流（又は誘導起電力）を検出することで、主線路導体４１に流れる電流を検出できる。
【０１５８】
なお、主線路導体４１と電流検出用導体４２Ａ，４２Ｂとの間に低透磁率部４０Ａが介在しているため、主線路導体４１と電流検出用導体４２Ａ，４２Ｂとの磁気結合は強い。この結果、電流検出感度は向上する。
【０１５９】
積層体４０には、コイル導体４３Ａ，４３Ｂが形成されている。コイル導体４３Ａ，４３Ｂは、巻回軸が電流検出用導体４２Ａ，４２Ｂの巻回軸と一致し、かつ、コイル導体４３Ａ，４３Ｂのコイル開口を平面視したとき、電流検出用導体４２Ａ，４２Ｂのコイル開口内に位置し、さらに、主線路導体３１が介在するようにして形成されている。よって、コイル導体４３Ａ，４３Ｂは、円柱座標系において主線路導体４１を軸とし、主線路導体４１の電流が流れる方向（Ｚ方向）を軸方向としたときの周方向（φ方向）または周方向と接する直線（Ｙ方向）上にコイル導体４３Ａ，４３Ｂの巻回軸を有する。コイル導体４３Ａ，４３Ｂは、コイル導体４３Ａ，４３Ｂのコイル開口の平面視で、それぞれ互いに反対方向に周回する電流が流れようとすると電流は打ち消し合う（弱め合う）ように、かつ、それぞれ互いに同方向に周回する電流が流れようとすると電流は打ち消し合わない（強め合う）ように、形成及び接続されている。
【０１６０】
コイル導体４３Ａ，４３Ｂは、主線路導体４１との結合が互いに正負反対となるように形成されている。例えば、コイル導体４３Ａと主線路導体４１とが正結合（結合係数は正）する場合、コイル導体４３Ｂと主線路導体４１とは負結合（結合係数は負）する。なお、コイル導体４３Ａと主線路導体４１とが負結合（結合係数は負）、コイル導体４３Ｂと主線路導体４１とは正結合（結合係数は正）でもよい。これにより、主線路導体４１と、コイル導体４３Ａ，４３Ｂからなる一のインダクタとは、磁界結合しない（又は磁界結合が弱い）。
【０１６１】
また、コイル導体４３Ａ，４３Ｂは、電流検出用導体４２Ａ，４２Ｂとの結合が互いに正負反対となるように形成されている。例えば、コイル導体４３Ａは電流検出用導体４２Ａと正結合（結合係数は正）し、コイル導体４３Ｂは電流検出用導体４２Ｂと負結合（結合係数は負）するように形成されている。なお、コイル導体４３Ａと電流検出用導体４２Ａとが負結合（結合係数は負）、コイル導体４３Ｂと電流検出用導体４２Ｂとは正結合（結合係数は正）でもよい。図３２（Ａ）において、電流検出用導体４２Ａ，４２Ｂ、コイル導体４３Ａ，４３Ｂに電流が印加された場合、電流検出用導体４２Ａ，４２Ｂ、コイル導体４３Ａ，４３Ｂのコイル開口の平面視で、電流検出用導体４２Ａとコイル導体４３Ａとはそれぞれ互いに同じ方向に印加電流が周るように流れる。また、電流検出用導体４２Ｂとコイル導体４３Ｂとはそれぞれ互いに反対方向に印加電流が周るように流れる。これにより、電流検出用導体４２Ａ，４２Ｂと、コイル導体４３Ａ，４３Ｂとは磁界結合しない（又は磁界結合が弱い）。これにより、コイル導体４３Ａ，４３Ｂを、独立したインダクタ素子として用いることができる。
【０１６２】
図３４（Ａ）は、別の例のインダクタモジュール４Ａの平面図、図３４（Ｂ）は、図３４（Ａ）のＡ−Ａ線における断面図である。なお、図３４（Ａ）に示す平面図は透視図である。図３５は、電流検出用導体４２Ｃ及びコイル導体４３Ｃとにそれぞれ流れる電流の方向を示す図である。
【０１６３】
インダクタモジュール４Ａが備える積層体４０には、周囲よりも透磁率が低い円柱形状の低透磁率部４０Ｂが形成されている。低透磁率部４０Ｂには、積層方向（Ｚ方向）に沿って円柱形状の主線路導体４１が形成され、主線路導体４１には一方向（Ｚ方向）に電流が流れる。
【０１６４】
積層体４０には、コイル状の電流検出用導体４２Ｃが形成されている。電流検出用導体４２Ｃは、主線路導体４１の周方向に沿った巻回軸を有し、環状に形成されている。つまり、電流検出用導体４２Ｃは、円柱座標系において主線路導体４１を軸とし、主線路導体４１の電流が流れる方向（Ｚ方向）を軸方向としたときの周方向（φ方向）に沿った曲線状の電流検出用導体４２Ｃの巻回軸を有する。
【０１６５】
主線路導体４１に電流が流れた場合、円柱形状の主線路導体４１の周方向（φ方向）に沿った向きの磁束が発生する。電流検出用導体４２Ｃには、主線路導体４１からの磁束により電流検出用導体４２Ｃに誘導起電力が生じ、誘導起電力に応じて生じる誘導電流が流れる。そして、誘導電流（又は誘導起電力）を検出することで、主線路導体４１に流れる電流を検出できる。
【０１６６】
積層体４０には、コイル導体４３Ｃ，４３Ｄが形成されている。コイル導体４３Ｃ，４３Ｄは、電流検出用導体４２Ｃと巻回軸を同じにして、電流検出用導体４２Ｃの内側に位置するよう環状に形成されている。また、コイル導体４３Ｃ，４３Ｄは、主線路導体４１を中心に回転対称に配置され、コイル導体４３Ｃ，４３Ｄに流れる電流が打ち消し合わない（強め合う）ように接続され、一つのインダクタを形成している。具体的には、コイル導体４３Ｃ，４３Ｄは、電流検出用導体４２Ｃと曲線状の巻回軸に沿って一方向に視たとき、それぞれ互いに反対方向に周回する電流が流れようとすると電流は打ち消し合わない（強めあう）ように、かつ、それぞれ互いに同方向に周回する電流が流れようとすると電流は打ち消し合う（弱め合う）ように、形成及び接続されている。
【０１６７】
コイル導体４３Ｃ，４３Ｄは、主線路導体４１との結合が互いに正負反対となるように形成されている。これにより、主線路導体４１と、コイル導体４３Ｃ，４３Ｄからなる一のインダクタとは、磁界結合しない（又は磁界結合が弱い）。
【０１６８】
また、コイル導体４３Ｃ，４３Ｄは、電流検出用導体４２Ｃとの結合が互いに正負反対となるように形成されている。例えば、コイル導体４３Ｃは電流検出用導体４２Ｃと正結合（結合係数は正）し、コイル導体４３Ｄは電流検出用導体４２Ｃと負結合（結合係数は負）するように形成されている。なお、コイル導体４３Ｃと電流検出用導体４２Ｃとが負結合（結合係数は負）、コイル導体４３Ｄと電流検出用導体４２Ｃとは正結合（結合係数は正）でもよい。図３５において、電流検出用導体４２Ｃとコイル導体４３Ｃ，４３Ｄに電流が印加された場合、電流検出用導体４２Ｃと曲線状の巻回軸に沿って一方向に視たとき、電流検出用導体４２Ｃとコイル導体４３Ｃとはそれぞれ互いに同じ方向に周回する印加電流が流れる。また、電流検出用導体４２Ｃとコイル導体４３Ｄとはそれぞれ互いに反対方向に周回する印加電流が流れる。これにより、電流検出用導体４２Ｃと、コイル導体４３Ｃ，４３Ｄとは磁界結合しない（又は磁界結合が弱い）。これにより、コイル導体４３Ｃ，４３Ｄを、独立したインダクタ素子として用いることができる。
【０１６９】
（実施形態５）
図３６（Ａ）は、実施形態５に係るインダクタモジュール５の平面図、図３６（Ｂ）は、図３６（Ａ）のＡ−Ａ線における断面図である。なお、図３６（Ａ）に示す平面図は透視図である。また、図３６（Ａ）に示す矢印は、主線路導体３１と、電流検出用導体５２Ａ,５２Ｂと、コイル導体５３Ａ，５３Ｂ（又は、コイル導体５４Ａ,５４Ｂ）から構成されるインダクタ素子とにそれぞれ流れる電流の方向を示す。
【０１７０】
インダクタモジュール３は、複数のフェライトシートが積層され、複数のフェライトシートが一体として焼結されてなる積層体５０を備えている。積層体５０の一のフェライトシートの主面には、一方向に（Ｙ方向）長い直線状の主線路導体５１が形成され、主線路導体５１には一方向（Ｙ方向）に電流が流れる。なお、主線路導体５１は、複数のフェライトシートに印刷された直線状の導体パターンが層間接続導体により互いに接続されて形成されていてもよい。この場合、主線路導体５１のインダクタンス成分、及び抵抗成分を小さくできる。
【０１７１】
インダクタモジュール５は、電流検出用導体５２Ａ，５２Ｂを備えている。電流検出用導体５２Ａ，５２Ｂは、巻回軸を積層体５０の積層方向（Ｚ方向）にし、かつ、電流検出用導体５２Ａ，５２Ｂのコイル開口を平面視したとき、主線路導体５１を間に挟むようにして、形成されている。電流検出用導体５２Ａ，５２Ｂは、異なる層のフェライトシートの主面に形成された開ループ状導体が、層間接続導体（不図示）により接続されることで形成されている。
【０１７２】
よって、図２０及び図２９と同様に、電流検出用導体５２Ａ，５２Ｂとのは、円柱座標系において主線路導体５１を軸とし、主線路導体５１の電流が流れる方向（Ｙ方向）を軸方向としたときの周方向（φ方向）または周方向と接する直線（Ｚ方向）上に電流検出用導体５２Ａ，５２Ｂの巻回軸を有する。
【０１７３】
電流検出用導体５２Ａ，５２Ｂの下側（Ｚ方向の負側）の一端は、積層体５０の下面をマザー基板に実装するための実装電極に接続されている。電流検出用導体５２Ａ，５２Ｂの上側（Ｚ方向の正側）の一端は、互いに接続されている。これにより、電流検出用導体５２Ａ，５２Ｂは直列に接続され、一つのコイルを形成している。電流検出用導体５２Ａ，５２Ｂは、図２０（Ａ）で説明した電流検出用導体２２Ａ，２２Ｂと同様に接続されている。つまり、電流検出用導体５２Ａ，５２Ｂは、電流検出用導体５２Ａ，５２Ｂのコイル開口の平面視で、それぞれ互いに反対方向に周回する電流が流れようとすると電流は打ち消し合わない（強め合う）ように、かつ、それぞれ互いに同方向に周回する電流が流れようとすると電流は打ち消し合う（弱め合う）ように、形成及び接続されている。よって、主線路導体５１に電流が流れることで発生する磁束により、電流検出用導体２２Ａ，２２Ｂに誘導起電力が生じ、誘導起電力に応じて生じる誘導電流は打ち消されない（強め合う）。そして、誘導電流（又は誘導起電力）を検出することで、主線路導体５１に流れる電流を検出できる。
【０１７４】
インダクタモジュール５は、コイル導体５３Ａ，５３Ｂ，５４Ａ，５４Ｂを備えている。コイル導体５３Ａ，５３Ｂは、図２９で説明した電流検出用導体２２Ａ，２２Ｂと同様の構成である。つまり、コイル導体５３Ａ，５３Ｂは、巻回軸を積層体５０の積層方向（Ｚ方向）にし、かつ、コイル導体５３Ａ，５３Ｂのコイル開口を平面視したとき、電流検出用導体５２Ａ，５２Ｂのコイル開口内に位置し、さらに、主線路導体５１を間に挟むようにして形成されている。よって、コイル導体５３Ａ，５３Ｂは、円柱座標系において主線路導体５１を軸とし、主線路導体５１の電流が流れる方向（Ｙ方向）を軸方向としたときの周方向（φ方向）または周方向と接する直線（Ｚ方向）上にコイル導体５３Ａ，５３Ｂの巻回軸を有する。そして、コイル導体５３Ａ，５３Ｂは、コイル導体５３Ａ，５３Ｂのコイル開口の平面視で、それぞれ互いに反対方向に周回する電流が流れようとすると電流は打ち消し合う（弱め合う）ように、かつ、それぞれ互いに同方向に周回する電流が流れようとすると電流は打ち消し合わない（強め合う）ように、コイル導体５３Ａ，５３Ｂが形成及び接続されている。コイル導体５４Ａ，５４Ｂは、コイル導体５３Ａ，５３Ｂと同様に形成され、平面視で、コイル導体５３Ａ，５３Ｂと重なるように形成されている。
【０１７５】
よって、コイル導体５３Ａ，５３Ｂは、主線路導体５１との結合が互いに正負反対となるように形成されている。これにより、主線路導体５１と、コイル導体５３Ａ，５３Ｂからなる一のインダクタとは、磁界結合しない（又は磁界結合が弱い）。同様に、コイル導体５４Ａ，５４Ｂは、主線路導体５１との結合が互いに正負反対となるように形成されている。これにより、主線路導体５１と、コイル導体５４Ａ，５４Ｂからなる一のインダクタとは、磁界結合しない（又は磁界結合が弱い）。
【０１７６】
また、コイル導体５３Ａと電流検出用導体５２Ａとの結合と、コイル導体５３Ｂと電流検出用導体５２Ｂとの結合は、互いに正負反対となるように形成されている。これにより、電流検出用導体５２Ａ，５２Ｂと、コイル導体５３Ａ，５３Ｂからなる一のインダクタとは、磁界結合しない。その結果、コイル導体５３Ａ，５３Ｂからなる一のインダクタを、独立したインダクタ素子として用いることができる。
【０１７７】
同様に、コイル導体５４Ａと電流検出用導体５２Ａとの結合と、コイル導体５４Ｂと電流検出用導体５２Ｂとの結合は、互いに正負反対となるように形成されている。これにより、電流検出用導体５２Ａ，５２Ｂと、コイル導体５４Ａ，５４Ｂからなる一のインダクタとは、磁界結合しない。その結果、コイル導体５４Ａ，５４Ｂからなる一のインダクタを、独立したインダクタ素子として用いることができる。
【０１７８】
また、コイル導体５３Ａ，５３Ｂからなるインダクタ素子と、コイル導体５４Ａ，５４Ｂからなるインダクタ素子との一方を１次コイルとし、他方を２次コイルとすることで、インダクタモジュール５は、トランスとして用いることができる。
【０１７９】
なお、実施形態１〜５で説明したインダクタモジュールは全てフェライトシートの積層体を基材としているが、それに限らない。酸化鉄を有しないセラミックシート（例えばアルミナのセラミックシート）の積層体でもよく、また樹脂基材等でもよい。
【０１８０】
（実施形態６）
この例では、実施形態５で説明したインダクタモジュール５を備えた電力伝送システムについて説明する。
【０１８１】
図３７は、実施形態６に係る電力伝送システム１００の回路図である。電力伝送システム１００は送電装置１０１と受電装置２０１とを備えている。
【０１８２】
送電装置１０１は、インバータ回路１１０と、検出回路６と、キャパシタＣ３１，Ｃ３２及びコイルＬ５から構成される共振回路とを有している。インバータ回路１１０は、直流電源Ｖｉｎから入力される直流電圧を交流電圧に変換し、共振回路へ出力する。検出回路６は、インバータ回路１１０から出力される交流電流及び交流電圧を検出する。検出回路６については後に詳述する。検出回路６は、本発明に係る「電流検出部」の一例である。コイルＬ５は、本発明に係る「送電側結合部」の一例である。
【０１８３】
受電装置２０１は、キャパシタＣ４及びコイルＬ６から構成される共振回路と、受電回路２１０と、負荷２１１とを備えている。受電装置２０１のコイルＬ６は、送電装置１０１のコイルＬ５と磁界結合する。これにより、送電装置１０１から受電装置２０１へ電力が伝送される。受電回路２１０は、コイルＬ６に誘起された電圧を整流及び平滑し、負荷２１１へ供給する。コイルＬ６は、本発明に係る「受電側結合部」の一例である。
【０１８４】
図３８は、検出回路６の回路図である。
【０１８５】
検出回路６は、実施形態５で説明したインダクタモジュール５を備えている。図３８に示すインダクタＬ５１は、主線路導体５１のインダクタンス成分である。インダクタＬ５２は、電流検出用導体５２Ａ，５２Ｂのインダクタンス成分である。インダクタＬ５３は、コイル導体５３Ａ，５３Ｂのインダクタンス成分である。インダクタＬ５４は、コイル導体５４Ａ，５４Ｂのインダクタンス成分である。
【０１８６】
インバータ回路１１０の出力側の差動線路には、コンデンサＣ６１，Ｃ６２，Ｃ６３が接続されている。コンデンサＣ６２には、インダクタＬ５３が接続されている。コンデンサＣ６２（Ｃ６２Ａ, Ｃ６２Ｂ）及びインダクタＬ５３は共振回路を構成している。コンデンサＣ６１，Ｃ６２，Ｃ６３は、本発明の「分圧回路」の一例である。
【０１８７】
インダクタＬ５４には、キャパシタＣ７，Ｃ８、ダイオードＤ３及び抵抗Ｒ１が接続されている。インダクタＬ５４とキャパシタＣ７とは共振回路を構成している。インダクタＬ５４はインダクタＬ５３と磁界結合する。磁界結合することで、インダクタＬ５４に誘導電流が流れる。この誘導電流は、ダイオードＤ３及びキャパシタＣ８で整流平滑される。そして、抵抗Ｒ１の両端電圧を検出することで、インダクタＬ５３に流れる電流を検出できる。この検出結果から、インバータ回路１１０から出力される交流電圧を検出できる。
【０１８８】
また、インダクタモジュール５の主線路導体５１（インダクタＬ５１）が、インバータ回路１１０とコイルＬ５との間の電力伝送ラインの一部となっている。インダクタＬ５２（電流検出用導体５２Ａ，５２Ｂ）には、キャパシタＣ９及び抵抗Ｒ２に接続されている。インダクタＬ５２に電流が流れたとき、インダクタＬ５２に誘導電流が流れる。そして、負荷ＲＬの電圧を検出することで、インダクタＬ５１（主線路導体５１）に流れる電流、すなわち、インバータ回路１１０とコイルＬ５との間の電力伝送ラインに流れる電流を検出できる。
【０１８９】
このように、送電装置での電流及び電圧を、一つのインダクタモジュール５により検出することができ、装置の小型化が可能となる。
【０１９０】
なお、送電装置１０１での電流及び電圧を検出することで、インバータ回路１１０から受電装置２０１側を視たインピーダンスを検出できる。インピーダンスを検出することで、例えば、送電装置１０１に受電装置２０１が載置されたか否かを判定できる。送電装置１０１に受電装置２０１を載置した場合、送電装置１０１と受電装置２０１との共振回路が結合して、複合共振による周波数ピークが現れる。そして、インピーダンスの周波数特性を検出し、周波数ピークの有無を検出することで、受電装置２０１の載置の有無を判定できる。
【０１９１】
なお、本実施形態では磁界結合型（磁界共鳴型を含む）の電力伝送システムについて説明したが、電界結合型の電力伝送システムでも同様に実施形態５で説明したインダクタモジュール５を備えることで、送電装置での電流及び電圧を検出できる。また、本実施形態では実施形態５で説明したインダクタモジュール５を備えた電力伝送システムについて説明したが、実施形態５のインダクタモジュール５に限らず、実施形態１〜５で説明した何れかのインダクタモジュールを備えた電力伝送システムでもよい。例えば、インダクタモジュールの備えるインダクタ素子を電力伝送システムの送電装置に備わるフィルタ回路のインダクタとして用いることができる。
【０１９２】
また、本実施形態では、送電装置１０１での電流及び電圧の大きさを検出することで、インバータ回路１１０から受電装置２０１側を視たインピーダンスの大きさを検出しているが、インピーダンスの位相を検出する機能を加えることで、インバータ回路１１０から受電装置２０１側を視た状態をより詳細に把握することができる。具体的には、インダクタＬ５２が検出したインバータ回路１１０から出力される交流電圧に比例し、直流成分をカットした信号（以下、信号１）と、インダクタＬ５４が検出した電力伝送ラインに流れる電流に比例し、直流成分をカットした信号（以下、信号２）をそれぞれコンパレータに入力する。それぞれのコンパレータでの基準電圧と信号１及び信号２を比較することで２値化したDuty比が約５０％の２つの方形波信号を得られる。コンパレータで処理された２つの方形波信号を位相比較回路に入力することで、インピーダンスの位相に比例した検出量を得られる。なお、検出対象のインピーダンスの位相がゼロになる条件で、信号１と信号２の位相差が９０°になるよう、検出回路の回路定数を設定することが望ましい。
【符号の説明】
【０１９３】
１，１Ａ，１Ｂ，１Ｃ，１Ｄ，１Ｅ，１Ｆ，１Ｇ，１Ｈ…インダクタモジュール
２，２Ａ，２Ｂ，２Ｃ，２Ｄ，２Ｅ，２Ｆ…インダクタモジュール
３，３Ａ，３Ｂ…インダクタモジュール
４，４Ａ…インダクタモジュール
５…インダクタモジュール
６…検出回路
１０…積層体
１１，１１Ａ，１１Ｂ…主線路導体
１２…電流検出用導体
１２Ａ…電流検出用導体
１２Ｂ…電流検出用導体
１３，１３Ａ，１３Ｂ，１３Ｃ，１３Ｄ，１３Ｅ，１３Ｆ…コイル導体
１４，１４Ａ，１４Ｂ，１４Ｃ，１４Ｄ，１４Ｅ…コイル導体
２０…積層体
２１…主線路導体
２２Ａ，２２Ｂ，２２Ｃ，２２Ｄ，２２Ｅ…電流検出用導体
２３，２３Ａ，２３Ｂ，２３Ｃ，２３Ｄ，２３Ｅ１，２３Ｅ２…コイル導体
２４…接続導体
３０…積層体
３１…主線路導体
３２Ａ，３２Ｂ…電流検出用導体
３３Ａ，３３Ｂ，３３Ｃ，３３Ｄ，３３Ｃ１，３３Ｃ２，３３Ｄ，３３Ｄ１，３３Ｄ２…コイル導体
４０…積層体
４０Ａ，４０Ｂ…低透磁率部
４１…主線路導体
４２Ａ，４２Ｂ，４２Ｃ…電流検出用導体
４３Ａ，４３Ｂ，４３Ｃ，４３Ｄ…コイル導体
５０…積層体
５１…主線路導体
５２Ａ，５２Ｂ…電流検出用導体
５３Ａ，５３Ｂ，５４Ａ，５４Ｂ…コイル導体
１００…電力伝送システム
１０１…送電装置
１１０…インバータ回路
１２１，１２２，１２３，１２４，１２５…導体パターン
１３１，１３２，１３３，１３４，１３５…導体パターン
１４１，１４２，１４３，１４４，１４５…導体パターン
２０１…受電装置
２１０…受電回路
２１１…負荷
【図１】
2016190097.tif 000003
【図２】
2016190097.tif 000004
【図３】
2016190097.tif 000005
【図４】
2016190097.tif 000006
【図５】
2016190097.tif 000007
【図６】
2016190097.tif 000008
【図７】
2016190097.tif 000009
【図８】
2016190097.tif 000010
【図９】
2016190097.tif 000011
【図１０】
2016190097.tif 000012
【図１１】
2016190097.tif 000013
【図１２】
2016190097.tif 000014
【図１３】
2016190097.tif 000015
【図１４】
2016190097.tif 000016
【図１５】
2016190097.tif 000017
【図１６】
2016190097.tif 000018
【図１７】
2016190097.tif 000019
【図１８】
2016190097.tif 000020
【図１９】
2016190097.tif 000021
【図２０】
2016190097.tif 000022
【図２１】
2016190097.tif 000023
【図２２】
2016190097.tif 000024
【図２３】
2016190097.tif 000025
【図２４】
2016190097.tif 000026
【図２５】
2016190097.tif 000027
【図２６】
2016190097.tif 000028
【図２７】
2016190097.tif 000029
【図２８】
2016190097.tif 000030
【図２９】
2016190097.tif 000031
【図３０】
2016190097.tif 000032
【図３１】
2016190097.tif 000033
【図３２】
2016190097.tif 000034
【図３３】
2016190097.tif 000035
【図３４】
2016190097.tif 000036
【図３５】
2016190097.tif 000037
【図３６】
2016190097.tif 000038
【図３７】
2016190097.tif 000039
【図３８】
2016190097.tif 000040
【国際調査報告】
2016190097.tif 000041
2016190097.tif 000042
2016190097.tif 000043